(57)【要約】  基地局に接続された端末向けのＤＣＩを、Ｒ−ＰＤＣＣＨ領域で送信する場合でも、データスループットの劣化を抑えることができる基地局。この基地局において、ＰＤＣＣＨ生成部（１０４）は、端末（２００）向けのデータが割り当てられるリソース領域と同一のリソース領域にマッピングされる第１の制御チャネルで送信される制御情報、又は、上記リソース領域とは異なるリソース領域にマッピングされる第２の制御チャネルで送信される制御情報を生成する。送信ＲＦ部（１１２）は、生成された制御情報を送信する。ここで、第１の制御チャネルにおける制御情報の情報量は、第２の制御チャネルにおける制御情報の情報量よりも小さい。
2012029245.tif 000002
【特許請求の範囲】
【請求項１】
端末向けのデータが割り当てられるリソース領域と同一のリソース領域にマッピングされる第１の制御チャネルで送信される制御情報、又は、前記リソース領域とは異なるリソース領域にマッピングされる第２の制御チャネルで送信される制御情報を生成する生成部と、
生成された前記制御情報を送信する送信部と、
を具備し、
前記第１の制御チャネルにおける前記制御情報の情報量は、前記第２の制御チャネルにおける前記制御情報の情報量よりも小さい、
基地局。
【請求項２】
前記生成部は、前記端末に設定された設定値を含む前記制御情報を生成し、
前記第１の制御チャネルと前記第２の制御チャネルとにおいて、設定可能な前記設定値の範囲が異なる、
請求項１に記載の基地局。
【請求項３】
前記第１の制御チャネルにおいて設定可能な前記設定値の範囲が、前記第２の制御チャネルにおいて設定可能な前記設定値の範囲よりも限定されている、
請求項２に記載の基地局。
【請求項４】
前記第１の制御チャネルにおいて設定可能な前記設定値の範囲は、前記第２の制御チャネルにおいて設定可能な前記設定値の範囲の一部である、
請求項２に記載の基地局。
【請求項５】
前記設定値は、前記端末に割り当てられたリソースブロックである、
請求項２に記載の基地局。
【請求項６】
前記第１の制御チャネルにおいて割当可能な前記リソースブロックの範囲が、前記第２の制御チャネルにおいて割当可能な前記リソースブロックの範囲よりも狭い、
請求項５に記載の基地局。
【請求項７】
前記第２の制御チャネルにおいて割当可能な複数の前記リソースブロックのうち、前記基地局以外の他の基地局からの干渉がより小さい一部のリソースブロックを、前記第１の制御チャネルにおいて割当可能な前記リソースブロックとする、
請求項５に記載の基地局。
【請求項８】
前記第２の制御チャネルにおいて割当可能な複数の前記リソースブロックのうち、前記第１の制御チャネルに対して設定されたサーチスペースを構成する一部のリソースブロックを、前記第１の制御チャネルにおいて割当可能な前記リソースブロックとする、
請求項５に記載の基地局。
【請求項９】
前記第２の制御チャネルにおいて割当可能な複数の前記リソースブロックのうち、前記基地局以外の他の基地局からの信号に対する受信品質測定対象であるリソースブロック以外の一部のリソースブロックを、前記第１の制御チャネルにおいて割当可能な前記リソースブロックとする、
請求項５に記載の基地局。
【請求項１０】
前記設定値は、前記端末に設定されるＭＣＳ（Modulation and channel Coding Scheme）である、
請求項２に記載の基地局。
【請求項１１】
前記第１の制御チャネルにおいて設定可能な前記ＭＣＳの範囲が、前記第２の制御チャネルにおいて設定可能な前記ＭＣＳの範囲よりも狭い、
請求項１０に記載の基地局。
【請求項１２】
前記第２の制御チャネルにおいて設定可能な複数の前記ＭＣＳのうち、ＭＣＳレベルがより低い一部のＭＣＳを、前記第１の制御チャネルにおいて設定可能なＭＣＳとする、
請求項１０に記載の基地局。
【請求項１３】
前記設定値は、前記端末に設定される帯域割当である、
請求項２に記載の基地局。
【請求項１４】
前記帯域割当には、連続する番号のリソースブロックを割り当てる連続帯域割当及び連続しない番号のリソースブロックを割り当てる非連続帯域割当が含まれる、
請求項１３に記載の基地局。
【請求項１５】
前記第２の制御チャネルにおいて設定可能な複数の前記帯域割当のうち、前記連続帯域割当を前記第１の制御チャネルにおいて設定可能な帯域割当とする、
請求項１４に記載の基地局。
【請求項１６】
端末向けのデータが割り当てられるリソース領域と同一のリソース領域にマッピングされる第１の制御チャネルで送信される制御情報、又は前記リソース領域とは異なるリソース領域にマッピングされる第２の制御チャネルで送信される制御情報を生成し、
生成された前記制御情報を送信し、
前記第１の制御チャネルにおける前記制御情報の情報量は、前記第２の制御チャネルにおける前記制御情報の情報量よりも小さい、
制御情報送信方法。
【発明の詳細な説明】
【技術分野】
【０００１】
本発明は、基地局及び制御情報送信方法に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。【０００３】
ＬＴＥでは、無線通信基地局装置（以下、「基地局」と省略する）は、システム帯域内のリソースブロック（Resource Block：ＲＢ）を、サブフレームと呼ばれる時間単位毎に無線通信端末装置（以下、「端末」と省略する）に割り当てることにより通信を行う。また、基地局は、下り回線データ及び上り回線データのリソース割当結果を通知するための割当制御情報（Ｌ１／Ｌ２制御情報）を端末へ送信する。この割当制御情報は例えばＰＤＣＣＨ（Physical Downlink Control Channel）等の下り回線制御チャネルを用いて端末へ送信される。【０００４】
また、各ＰＤＣＣＨは１つ又は連続する複数のＣＣＥ（Control Channel Element）で構成されるリソースを占有する。ＬＴＥでは、ＰＤＣＣＨが占有するＣＣＥ数（ＣＣＥ連結数：CCE aggregation level又はAggregation level）としては、割当制御情報の情報ビット数又は端末の伝搬路状態に応じて、１，２，４，８の中の１つが選択される。なお、ＬＴＥでは、システム帯域幅として最大２０ＭＨｚの幅を持つ周波数帯域がサポートされる。【０００５】
また、基地局から送信される割当制御情報はＤＣＩ（Downlink Control Information）と呼ばれる。基地局は１サブフレームに複数の端末を割り当てる場合、複数のＤＣＩを同時に送信する。このとき、基地局は、各ＤＣＩの送信先の端末を識別するために、送信先の端末ＩＤでマスキング（または、スクランブリング）したＣＲＣビットをＤＣＩに含めて送信する。そして、端末は、自端末宛ての可能性がある複数のＤＣＩにおいて、自端末の端末ＩＤでＣＲＣビットをデマスキング（または、デスクランブリング）することによりＰＤＣＣＨをブラインド復号（ブラインドデコーディング、Blind decoding）して自端末宛のＤＣＩを検出する。【０００６】
また、ＤＣＩには、基地局が端末に対して割り当てたリソースの情報（リソース割当情報）及びＭＣＳ（Modulation and channel Coding Scheme）等が含まれる。また、ＤＣＩには、上り回線用、下り回線ＭＩＭＯ（Multiple Input Multiple Output）送信用、下り回線非連続帯域割当用等の複数のフォーマットがある。端末は、複数のフォーマットを有する、下り割当制御情報（下り回線に関する割当制御情報）および上り割当制御情報（上り回線に関する割当制御情報）の両方を受信する必要がある。【０００７】
例えば、下り制御情報（ＤＣＩ）には、基地局の送信アンテナ制御方法及びリソース割当方法等により複数のサイズのフォーマットが定義される。その複数のフォーマットのうち、連続する番号のＲＢを割り当てる帯域割当（以下、「連続帯域割当」という）を行う下り割当制御情報フォーマット（以下、単に「連続帯域割当下りフォーマット」という）と、連続帯域割当を行う上り割当制御情報フォーマット（以下、単に「連続帯域割当上りフォーマット」という）とは同一サイズを有する。これらのフォーマット（ＤＣＩフォーマット）には、割当制御情報の種別（下り割当制御情報又は上り割当制御情報）を示す種別情報（例えば、１ビットのフラグ）が含まれる。よって、端末は、連続帯域割当下りフォーマットのサイズと、連続帯域割当上りフォーマットのサイズとが同一であっても、割当制御情報に含まれる種別情報を確認することにより、下り割当制御情報または上り割当制御情報のいずれであるかを特定することができる。【０００８】
例えば、連続帯域割当下りフォーマットは、ＤＣＩ  ｆｏｒｍａｔ０（以下、ＤＣＩ  ０という）と呼ばれ、一方、連続帯域割当上りフォーマットは、ＤＣＩ  ｆｏｒｍａｔ１Ａ（以下、ＤＣＩ  １Ａという）と呼ばれる。上述したようにＤＣＩ  ０およびＤＣＩ  １Ａは、同一サイズであり、種別情報によって区別できる。よって、以下の説明では、ＤＣＩ  ０およびＤＣＩ  １ＡをＤＣＩ  ０／１Ａとまとめて表記する。【０００９】
また、連続帯域割当下りフォーマットおよび連続帯域割当上りフォーマット以外にも、ＤＣＩフォーマットには、連続しない番号のＲＢを割り当てる帯域割当（以下、「非連続帯域割当」という）を行う下り割当制御情報のフォーマット（「非連続帯域割当下りフォーマット」：ＤＣＩ  ｆｏｒｍａｔ１：ＤＣＩ  １）、および、空間多重ＭＩＭＯ送信を割り当てる下り割当制御情報のフォーマット（「空間多重ＭＩＭＯ下りフォーマット」：ＤＣＩ  ｆｏｒｍａｔ２，２Ａ：ＤＣＩ  ２，２Ａ）、ビームフォーミング送信を割り当てる下り割当制御情報のフォーマット（「ビームフォーミング割当下りフォーマット」：ＤＣＩ  ｆｏｒｍａｔ１Ｂ）、マルチユーザＭＩＭＯ送信を割り当てる下り割当制御情報のフォーマット（「マルチユーザＭＩＭＯ割当下りフォーマット」：ＤＣＩ  ｆｏｒｍａｔ１Ｄ）等がある。ここで、ＤＣＩ  １，２，２Ａ，１Ｂ，１Ｄは、端末の下り送信モード（非連続帯域割当、空間多重ＭＩＭＯ送信、ビームフォーミング送信、マルチユーザＭＩＭＯ送信）に依存して使用されるフォーマットである。すなわち、ＤＣＩ  １，２，２Ａ，１Ｂ，１Ｄは、いずれも端末毎に設定されるフォーマットである。一方、ＤＣＩ  ０／１Ａは、送信モードに依存せず、いずれの送信モードの端末に対しても使用できるフォーマットである。すなわち、ＤＣＩ  ０／１Ａは、全端末に対して共通に使用されるフォーマットである。また、ＤＣＩ  ０／１Ａが用いられた場合には、デフォルトの送信モードとして１アンテナ送信または送信ダイバーシチが用いられる。一方、上り回線割当向けのフォーマットとして、非連続帯域割当を行うＤＣＩ  ｆｏｒｍａｔ  ０Ａ及び空間多重ＭＩＭＯ送信を割り当てるＤＣＩ  ｆｏｒｍａｔ  ０Ｂが検討されている。これらはいずれも端末毎に設定されるフォーマットである。【００１０】
また、端末の回路規模を低減するためにブラインド復号の回数を削減することを目的として、ブラインド復号の対象となるＣＣＥを、端末毎に限定する方法が検討されている。この方法では、各端末によるブラインド復号の対象と成りうるＣＣＥ領域（以下、「サーチスペース（Search Space）」という）を限定する。ここでは、各端末に割り当てられるＣＣＥ領域の単位（つまり、ブラインド復号する単位に相当）は、「下り制御情報割当領域候補（ＤＣＩ割当領域候補）」又は「ブラインド復号領域候補」と呼ぶ。【００１１】
ＬＴＥでは、サーチスペースは、端末毎にランダムに設定される。このサーチスペースを構成するＣＣＥ数は、ＰＤＣＣＨのＣＣＥ連結数毎に定義される。例えば、サーチスペースの構成ＣＣＥの数は、ＰＤＣＣＨのＣＣＥ連結数１，２，４，８それぞれに対応して、６，１２，８，１６となる。この場合、ブラインド復号領域候補の数は、ＰＤＣＣＨのＣＣＥ連結数１，２，４，８それぞれに対応して、６候補（６＝６÷１），６候補（６＝１２÷２），２候補（２＝８÷４），２候補（２＝１６÷８）となる。すなわち、ブラインド復号領域候補は、合計１６候補に限定される。これにより、各端末は、自端末に割り当てられたサーチスペース内のブラインド復号領域候補群に対してのみ、ブラインド復号を行えばよいため、ブラインド復号の回数を削減することができる。ここで、各端末のサーチスペースは、各端末の端末ＩＤと、ランダム化を行う関数であるハッシュ（hash）関数とを用いて設定される。この端末特有のＣＣＥ領域は、個別領域（UE specific Search Space：ＵＥ−ＳＳ）と呼ばれる。【００１２】
一方、ＰＤＣＣＨには、複数の端末に対して同時に通知される、端末共通のデータ割当のための制御情報（例えば、下り報知信号に関する割当情報および呼び出し（Paging）用の信号に関する割当情報）（以下、「共通チャネル向け制御情報」と呼ぶ）も含まれる。共通チャネル向け制御情報を伝送するために、ＰＤＣＣＨには、下り報知信号を受信すべき全端末に共通するＣＣＥ領域（以下、共通領域（Common Search Space：Ｃ−ＳＳ）と呼ぶ）が用いられる。Ｃ−ＳＳには、ブラインド復号領域候補が、ＣＣＥ連結数４および８それぞれに対して、４候補（４＝１６÷４），２候補（２＝１６÷８）の合計６候補だけ存在する。【００１３】
また、端末は、ＵＥ−ＳＳでは、全端末に対して共通に使用される、第１種のＤＣＩフォーマット（ＤＣＩ  ０／１Ａ）、および、送信モードに依存した、第２種のＤＣＩフォーマット（ＤＣＩ  １，２，２Ａなど）という、２種類のサイズのＤＣＩフォーマットのそれぞれについて、ブラインド復号を行う。例えば、端末は、ＵＥ−ＳＳでは、上記したサイズの異なる、第１種のＤＣＩフォーマット（ＤＣＩ  ０／１Ａ）および第２種のＤＣＩフォーマット（ＤＣＩ  １，２，２Ａなど）のそれぞれに関して、１６個のブラインド復号領域候補に対するブラインド復号を行うので、合計３２回のブラインド復号を行うことになる。また、端末は、Ｃ−ＳＳでは、共通チャネル割当用フォーマットであるＤＣＩ  ｆｏｒｍａｔ１Ｃ（以下、ＤＣＩ  １Ｃという）およびＤＣＩ  １Ａのそれぞれについて、上記６個のブラインド復号領域候補に対するブラインド復号を行うので、合計１２回のブラインド復号を行うことになる。従って、端末は、サブフレームあたり、合計４４回のブラインド復号を行うことになる。【００１４】
ここで、共通チャネル割当に用いられるＤＣＩ  １Ａと端末個別のデータ割当に用いられるＤＣＩ  ０／１Ａとは同一サイズであり、端末ＩＤによりそれぞれが区別される。そのため、基地局は、端末のブラインド復号回数を増やすことなく、端末個別のデータ割当を行うＤＣＩ  ０／１ＡをＣ−ＳＳでも送信することができる。【００１５】
また、ＬＴＥよりも更なる通信の高速化を実現する３ＧＰＰ  ＬＴＥ−Ａｄｖａｎｃｅｄ（以下、ＬＴＥ−Ａという）の標準化が開始されている。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ−Ａ端末という）が導入される見込みである。また、ＬＴＥ−Ａシステムは、ＬＴＥ−Ａ端末のみでなく、ＬＴＥシステムに対応する端末（以下、ＬＴＥ端末という）を収容することが要求されている。【００１６】
さらに、ＬＴＥ−Ａでは、カバレッジの拡大を達成するために、無線通信中継装置（以下、「中継局」又は「ＲＮ：Ｒｅｌａｙ  Ｎｏｄｅ」という）の導入も規定された。これに伴い、基地局から中継局への下り回線制御チャネル（以下、「Ｒ−ＰＤＣＣＨ」という）に関する標準化が進んでいる（例えば、非特許文献４，５，６，７参照）。現在の段階では、Ｒ−ＰＤＣＣＨに関して、以下の事項が検討されている。図１には、Ｒ−ＰＤＣＣＨがマッピングされるリソース領域（以下、「Ｒ−ＰＤＣＣＨ領域」という）の一例が示されている。
（１）Ｒ−ＰＤＣＣＨの時間軸方向のマッピング開始位置は、１サブフレームの先頭から４番目のＯＦＤＭシンボルに固定される。これは、中継局が各サブフレーム内で、中継局に接続された端末（中継局配下の端末）へのＣＲＳ（Common Reference Signal）及びＤＣＩの送信と、基地局からのＲ−ＰＤＣＣＨ領域での受信とができるようにするためである。
（２）各Ｒ−ＰＤＣＣＨは、１つまたは連続する複数のＲ−ＣＣＥ（Relay-Control Channel Element）で構成されるリソースを占有する。１つのＲ−ＣＣＥを構成するＲＥの数は、スロット毎、又は、参照信号の配置毎に異なる。具体的には、Ｒ−ＣＣＥは、スロット０では、時間方向では１サブフレームの先頭から４番目のＯＦＤＭシンボルからスロット０の終わりまでの範囲を持ち、且つ、周波数方向では１ＲＢ幅の範囲を持つリソース領域（ただし、参照信号がマッピングされている領域を除く）として規定される。また、スロット１では、時間方向ではスロット１のはじめからスロット１の終わりまでの範囲を持ち、且つ、周波数方向では１ＲＢ幅の範囲を持つリソース領域（ただし、参照信号がマッピングされている領域を除く）として規定される。ただし、スロット１では、上記したリソース領域を２つに分けて、それぞれを１つのＲ−ＣＣＥにする提案も為されている。
【先行技術文献】
【非特許文献】
【００１７】
【非特許文献１】3GPP TS 36.211 V9.1.0, “Physical Channels and Modulation (Release 9),” May 2010
【非特許文献２】3GPP TS 36.212 V9.2.0, “Multiplexing and channel coding (Release 9),” June 2010
【非特許文献３】3GPP TS 36.213 V9.2.0, “Physical layer procedures (Release 9),” June 2010
【非特許文献４】3GPP TSG RAN WG1 meeting, R1-102700, “Backhaul Control Channel Design in Downlink,” May 2010
【非特許文献５】3GPP TSG RAN WG1 meeting, R1-102881, “R-PDCCH placement,” May 2010
【非特許文献６】3GPP TSG RAN WG1 meeting, R1-103040, “R-PDCCH search space design” May 2010
【非特許文献７】3GPP TSG RAN WG1 meeting, R1-103062, “Supporting frequency diversity and frequency selective R-PDCCH transmissions” May 2010
【発明の概要】
【発明が解決しようとする課題】
【００１８】
今後、Ｍ２Ｍ（Machine to Machine）通信等、様々な機器が無線通信端末として導入されることを考慮すると、ＰＤＣＣＨがマッピングされるリソース領域（以下、ＰＤＣＣＨ領域という）のリソースが不足することも想定される。リソース不足によりＰＤＣＣＨがマッピングできなくなると、端末に対する下りデータ割当を行えないので、下りデータがマッピングされるリソース領域（以下、ＰＤＳＣＨ領域という）が空いていても使用することができずに、システムスループットが低下してしまう恐れがある。【００１９】
このリソース不足を解消する方法として、基地局に接続された端末（基地局配下の端末）向けのＤＣＩを、ＰＤＣＣＨ領域に加え、前述のＲ−ＰＤＣＣＨ領域にも配置することが考えられる（図２及び図３参照）。【００２０】
また、図４に示すように、マクロ（Macro）セル（図４ではマクロ基地局）、及び、フェムト（Femto）セル及びピコ（Pico）セル（図４ではフェムト／ピコ基地局）等で構成されるヘテロジニアスネットワークが検討されている。ヘテロジニアスネットワークでは、いずれのセルでも他のセルからの影響により、ＰＤＣＣＨ領域での干渉が増大するという懸念がある。例えば、マクロ基地局に接続している端末がフェムトセル近傍に位置する場合、特に当該端末がフェムト基地局への接続を許可されていない場合には、当該端末はフェムトセルから大きな干渉を受ける。又は、ピコセルに接続している端末がピコセルのセルエッジ付近（例えば、Range expansion領域）に位置する場合、その端末はマクロセルから大きな干渉を受ける。このため、ＰＤＣＣＨ領域では、各端末での制御情報（ＤＣＩ）の受信性能が劣化してしまう。【００２１】
一方で、基地局配下の端末向けのＤＣＩを、Ｒ−ＰＤＣＣＨ領域に配置することで、制御情報（ＤＣＩ）の受信性能の劣化を抑えることができる。具体的には、フェムト／ピコ基地局に接続された端末（フェムト／ピコ基地局配下の端末）が十分低い誤り率で制御情報を受信できるように、マクロ基地局は、特定のＲＢでの送信電力を低くして送信処理を行い、フェムト／ピコ基地局は、その特定のＲＢを用いてフェムト／ピコ基地局配下の端末向けにＲ−ＰＤＣＣＨ領域で制御情報を送信する。この干渉制御により、フェムト／ピコ基地局配下の端末は、マクロ基地局からの干渉の小さいＲＢを用いてＲ−ＰＤＣＣＨ領域で制御情報を良好な誤り率で受信できる。同様に、マクロ基地局がフェムト／ピコ基地局からの干渉の小さいＲＢ（フェムト／ピコ基地局が送信電力を低くして送信処理を行うＲＢ）を用いてＲ−ＰＤＣＣＨ領域で制御情報を送信することにより、マクロ基地局配下の端末は、良好な誤り率で制御情報を受信できる。【００２２】
しかしながら、Ｒ−ＰＤＣＣＨは、データ送信領域（ＰＤＳＣＨ領域）にマッピングされる。よって、各基地局配下の端末数の増加に伴い、各端末が使用するＲ−ＰＤＣＣＨの数が多くなると、データ送信に用いるＲＢ数（ＰＤＳＣＨ領域）が減少してしまい、データスループットの劣化を招く恐れがある。【００２３】
本発明の目的は、基地局に接続された端末向けのＤＣＩを、Ｒ−ＰＤＣＣＨ領域で送信する場合でも、データスループットの劣化を抑えることができる基地局及び制御情報送信方法を提供することである。
【課題を解決するための手段】
【００２４】
本発明の一態様の基地局は、端末向けのデータが割り当てられるリソース領域と同一のリソース領域にマッピングされる第１の制御チャネルで送信される制御情報、又は、前記リソース領域とは異なるリソース領域にマッピングされる第２の制御チャネルで送信される制御情報を生成する生成部と、生成された前記制御情報を送信する送信部と、を具備し、前記第１の制御チャネルにおける前記制御情報の情報量は、前記第２の制御チャネルにおける前記制御情報の情報量よりも小さい。【００２５】
本発明の一態様の制御情報送信方法は、端末向けのデータが割り当てられるリソース領域と同一のリソース領域にマッピングされる第１の制御チャネルで送信される制御情報、又は前記リソース領域とは異なるリソース領域にマッピングされる第２の制御チャネルで送信される制御情報を生成し、生成された前記制御情報を送信し、前記第１の制御チャネルにおける前記制御情報の情報量は、前記第２の制御チャネルにおける前記制御情報の情報量よりも小さい。
【発明の効果】
【００２６】
本発明によれば、基地局に接続された端末向けのＤＣＩを、Ｒ−ＰＤＣＣＨ領域で送信する場合でも、データスループットの劣化を抑えることができる。
【図面の簡単な説明】
【００２７】
【図１】Ｒ−ＰＤＣＣＨ領域の一例を示す図
【図２】ＰＤＣＣＨのマッピング例の説明に供する図
【図３】無線通信中継装置を含む通信システムの説明に供する図
【図４】ヘテロジニアスネットワークの説明に供する図
【図５】本発明の実施の形態１に係る基地局の主要構成図
【図６】本発明の実施の形態１に係る基地局の構成を示すブロック図
【図７】本発明の実施の形態１に係るサーチスペースの説明に供する図
【図８】本発明の実施の形態１に係る端末の構成を示すブロック図
【図９】本発明の実施の形態１に係る割当可能ＲＢ領域の設定処理を示す図（設定方法１）
【図１０】本発明の実施の形態１に係る割当可能ＲＢ領域の設定処理を示す図（設定方法２）
【図１１】本発明の実施の形態２に係る端末の構成を示すブロック図
【図１２】本発明の実施の形態２に係る割当可能ＲＢ領域の設定処理を示す図
【図１３】本発明の実施の形態２に係るその他の割当可能ＲＢ領域の設定処理を示す図
【図１４】本発明の実施の形態３に係る割当可能ＭＣＳの設定処理を示す図
【発明を実施するための形態】
【００２８】
以下、本発明の実施の形態について図面を参照して詳細に説明する。なお、実施の形態において、同一の構成要素には同一の符号を付し、その説明は重複するので省略する。
【００２９】
［実施の形態１］
［システムの概要］
本実施の形態に係る通信システムは、基地局１００と端末２００とを有する。基地局１００は、ＬＴＥ−Ａ基地局であり、端末２００は、ＬＴＥ−Ａ端末である。
【００３０】
図５は、本発明の実施の形態１に係る基地局１００の主要構成図である。基地局１００において、ＰＤＣＣＨ生成部１０４は、端末２００向けのデータが割り当てられるリソース領域（ＰＤＳＣＨ領域）と同一のリソース領域にマッピングされるＲ−ＰＤＣＣＨ（第１の制御チャネル）で送信される制御情報、又は、上記リソース領域とは異なるリソース領域にマッピングされるＰＤＣＣＨ（第２の制御チャネル）で送信される制御情報を生成する。送信ＲＦ部１１２は、生成された制御情報を送信する。ここで、Ｒ−ＰＤＣＣＨ（第１の制御チャネル）における制御情報の情報量は、ＰＤＣＣＨ（第２の制御チャネル）における制御情報の情報量よりも小さい。
【００３１】
［基地局１００の構成］
図６は、本発明の実施の形態１に係る基地局１００の構成を示すブロック図である。図６において、基地局１００は、設定部１０１と、制御部１０２と、サーチスペース設定部１０３と、ＰＤＣＣＨ生成部１０４と、符号化・変調部１０５，１０７，１０８と、割当部１０６と、多重部１０９と、ＩＦＦＴ（Inverse Fast Fourier Transform）部１１０と、ＣＰ（Cyclic Prefix）付加部１１１と、送信ＲＦ部１１２と、アンテナ１１３と、受信ＲＦ部１１４と、ＣＰ除去部１１５と、ＦＦＴ（Fast Fourier Transform）部１１６と、抽出部１１７と、ＩＤＦＴ（Inverse Discrete Fourier transform）部１１８と、データ受信部１１９と、ＡＣＫ／ＮＡＣＫ受信部１２０とを有する。
【００３２】
設定部１０１は、端末２００向けのＤＣＩの送信に利用するリソース領域（ＤＣＩの送信領域）を設定すると共に、端末２００の上り回線および下り回線それぞれの送信モードを設定する。リソース領域の設定及び送信モードの設定は、設定対象の端末２００毎に行われる。
【００３３】
具体的には、設定部１０１は、送信領域設定部１３１と、送信モード設定部１３２とを有する。
【００３４】
送信領域設定部１３１は、端末２００向けのＤＣＩの送信に利用するリソース領域を設定する。設定されるリソース領域の候補には、ＰＤＣＣＨ領域と、スロット０のＲ−ＰＤＣＣＨ領域と、スロット１のＲ−ＰＤＣＣＨ領域とが含まれる。例えば、通常時には、端末２００向けにＰＤＣＣＨ領域が設定され、基地局１００の配下で通信している端末２００の数が多いためＰＤＣＣＨ領域が逼迫する懸念が生じた場合、又はＰＤＣＣＨ領域での干渉が大きいと判断された場合等には、端末２００向けにスロット０のＲ−ＰＤＣＣＨ領域又はスロット１のＲ−ＰＤＣＣＨ領域が設定される。すなわち、送信領域設定部１３１は、端末２００毎にＰＤＣＣＨ領域のみをブラインド復号するか、ＰＤＣＣＨ領域及びＲ−ＰＤＣＣＨ領域の双方をブラインド復号するか、（又は、Ｒ−ＰＤＣＣＨ領域のみをブラインド復号するか）、を設定する。なお、送信領域設定部１３１において、ＤＣＩの送信領域としてＲ−ＰＤＣＣＨ領域も含めるか否かを、どのような条件に基づき判断するかは限定されない。また、送信領域設定部１３１は、Ｒ−ＰＤＣＣＨ領域のブラインド復号の際に対象とするＲＢ領域を設定する。
【００３５】
送信モード設定部１３２は、端末２００毎の伝搬路状況等に基づいて、端末２００の上り回線および下り回線それぞれの送信モード（例えば、空間多重ＭＩＭＯ送信、ビームフォーミング送信、非連続帯域割当等）を設定する。
【００３６】
また、設定部１０１は、各端末２００向けのＤＣＩの送信にＰＤＣＣＨ及びＲ−ＰＤＣＣＨをそれぞれ用いる際、端末２００向けの下り回線データに対して割当可能なＲＢ領域（以下、単に「割当可能ＲＢ領域」を設定する。このとき、設定部１０１は、Ｒ−ＰＤＣＣＨを用いて端末２００に通知可能なデータ割当可能ＲＢ領域（すなわち、割当ＲＢ候補群）として、基準設定値候補群の一部を設定する。例えば、基準設定値候補群として、下り回線データが割り当てられるリソース領域（ＰＤＳＣＨ領域）と異なるリソース領域（ＰＤＣＣＨ領域）にマッピングされるＰＤＣＣＨで送信されるＤＣＩ（下り制御情報）を用いて通知可能な設定値候補群（割当ＲＢ候補群）を用いる。なお、各端末２００に割当可能なＲＢ領域の設定方法の詳細については後述する。
【００３７】
そして、設定部１０１は、各端末２００に設定した、ＤＣＩの送信領域（リソース領域）を示す情報、送信モードを示す情報、及び、割当可能ＲＢ領域を示す情報、を含む設定情報を、制御部１０２、サーチスペース設定部１０３、ＰＤＣＣＨ生成部１０４及び符号化・変調部１０７へ送出する。なお、設定情報に含まれるこれらの情報は、上位レイヤの制御情報（ＲＲＣ制御情報またはRRC signalingという）として、符号化・変調部１０７を介して各端末２００へ通知される。
【００３８】
制御部１０２は、設定部１０１から入力される設定情報に応じて、ＭＣＳ情報、リソース（ＲＢ）割当情報、及び、ＮＤＩ（New data indicator）等のＨＡＲＱ関連情報を含む割当制御情報を生成する。ここで、リソース割当情報として、端末２００の上り回線データを割り当てる上りリソース（例えば、ＰＵＳＣＨ（Physical Uplink Shared Channel））を示す上りリソース割当情報、又は、端末２００宛ての下り回線データを割り当てる下りリソース（例えば、ＰＤＳＣＨ（Physical Downlink Shared Channel））を示す下りリソース割当情報を生成する。
【００３９】
ここで、制御部１０２は、端末２００向けの下り回線データを割り当てる際には、設定部１０１で設定した割当可能ＲＢ領域（設定値候補群）の中から、端末２００に対するＲＢ（設定値）を選択し、下りリソース割当情報を生成する。つまり、当該下りリソース割当情報は、割当可能ＲＢ領域のうち、どのＲＢを実際に割り当てたかを示す情報である。
【００４０】
さらに、制御部１０２は、設定部１０１から受け取る設定情報に基づいて、端末２００の上り回線の送信モードに応じた割当制御情報（ＤＣＩ  ０Ａ，０Ｂのいずれか）、下り回線の送信モードに応じた割当制御情報（ＤＣＩ  １，１Ｂ，１Ｄ，２，２Ａのいずれか）、または、全端末共通の割当制御情報（ＤＣＩ  ０／１Ａ）を、端末２００毎に生成する。
【００４１】
例えば、通常のデータ送信時には、制御部１０２は、スループット向上のために、各端末２００に設定した送信モードでデータ伝送が行えるように、各端末２００の送信モードに応じた割当制御情報（ＤＣＩ  １，２，２Ａ，２Ｂのいずれか）を生成する。これにより、各端末２００に設定した送信モードでデータ伝送が行えるので、スループットを向上することができる。
【００４２】
しかし、急激な伝搬路状況の変化または隣接セルからの干渉の変化等によっては、各端末２００に設定した送信モードではデータの受信誤りが頻発する状況も起こり得る。この場合には、制御部１０２は、全端末に共通のフォーマット（ＤＣＩ  ０／１Ａ）で、割当制御情報を生成し、ロバスト（Robust）なデフォルト送信モードを用いてデータを送信する。これにより、急激に伝搬環境が変動した場合であってもよりロバストなデータ伝送が可能となる。
【００４３】
また、伝搬路状況が悪化した場合に送信モードの変更を通知するための上位レイヤの制御情報（RRC signaling）の送信時にも、制御部１０２は、全端末共通の割当制御情報（ＤＣＩ  ０／１Ａ）を生成し、デフォルト送信モードを用いて情報を送信する。ここで、全端末共通のＤＣＩ  ０／１Ａの情報ビット数は、送信モードに依存するＤＣＩ  １，１Ｂ，１Ｄ，２，２Ａ，０Ａ，０Ｂの情報ビット数よりも少ない。このため、同じＣＣＥ数が設定された場合、ＤＣＩ  ０／１Ａの方が、ＤＣＩ  １，１Ｂ，１Ｄ，２，２Ａ，０Ａ，０Ｂよりも、低い符号化率で送信することができる。よって、伝搬路状況が悪化した場合に制御部１０２がＤＣＩ  ０／１Ａを用いることにより、伝搬路状況が劣悪な端末２００でも良好な誤り率で割当制御情報（および、データ）を受信することができる。
【００４４】
また、制御部１０２は、端末個別のデータ割当向けの割当制御情報の他に、報知情報およびＰａｇｉｎｇ情報等の複数の端末共通のデータ割当のための、共通チャネル向け割当制御情報（例えば、ＤＣＩ  １Ｃ，１Ａ）を生成する。
【００４５】
そして、制御部１０２は、生成した端末個別のデータ割当向けの割当制御情報のうち、ＭＣＳ情報およびＮＤＩをＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。また、制御部１０２は、生成した共通チャネル向け割当制御情報をＰＤＣＣＨ生成部１０４に出力する。
【００４６】
サーチスペース設定部１０３は、設定部１０１から受け取る設定情報の示すＤＣＩの送信領域に基づいて、共通サーチスペース（Ｃ−ＳＳ）および個別サーチスペース（ＵＥ−ＳＳ）を設定する。共通サーチスペース（Ｃ−ＳＳ）は、上述のとおり、全端末に共通のサーチスペースであり、個別サーチスペース（ＵＥ−ＳＳ）は、各端末に個別のサーチスペースである。
【００４７】
具体的には、サーチスペース設定部１０３は、予め設定したＣＣＥ（例えば、先頭ＣＣＥから１６ＣＣＥ分のＣＣＥ）をＣ−ＳＳとして設定する。ＣＣＥは、基本単位である。
【００４８】
一方、サーチスペース設定部１０３は、各端末に対してＵＥ−ＳＳを設定する。サーチスペース設定部１０３は、例えば、或る端末のＵＥ−ＳＳを、その端末の端末ＩＤおよびランダム化を行うハッシュ（hash）関数を用いて算出されるＣＣＥ番号と、サーチスペースを構成するＣＣＥ数（Ｌ）とから、算出する。
【００４９】
図７は、Ｃ−ＳＳ及び或る端末２００に対するＵＥ−ＳＳの設定例を示す図である。
【００５０】
図７では、ＰＤＣＣＨのＣＣＥ連結数４に対して、４つのＤＣＩ割当領域候補（つまり、ＣＣＥ０〜３，ＣＣＥ４〜７，ＣＣＥ８〜１１，ＣＣＥ１２〜１５）が、Ｃ−ＳＳとして設定されている。また、ＰＤＣＣＨのＣＣＥ連結数８に対して、２つのＤＣＩ割当領域候補（つまり、ＣＣＥ０〜７，ＣＣＥ８〜１５）が、Ｃ−ＳＳとして設定されている。すなわち、図７では、合計６つのＤＣＩ割当領域候補が、Ｃ−ＳＳとして設定されている。
【００５１】
また、図７では、ＣＣＥ連結数１に対して、６つのＤＣＩ割当領域候補（つまり、ＣＣＥ１６〜２１のそれぞれ）が、ＵＥ−ＳＳとして設定されている。また、ＣＣＥ連結数２に対して、６つのＤＣＩ割当領域候補（つまり、ＣＣＥ６〜１７を２つずつ分割したもの）が、ＵＥ−ＳＳとして設定されている。また、ＣＣＥ連結数４に対して、２つのＤＣＩ割当領域候補（つまり、ＣＣＥ２０〜２３，ＣＣＥ２４〜２７）が、ＵＥ−ＳＳとして設定されている。また、ＣＣＥ連結数８に対して、２つのＤＣＩ割当領域候補（つまり、ＣＣＥ１６〜２３，ＣＣＥ２４〜３１）が、ＵＥ−ＳＳとして設定されている。すなわち、図２では、合計１６個のＤＣＩ割当領域候補が、ＵＥ−ＳＳとして設定されている。
【００５２】
また、サーチスペース設定部１０３は、設定部１０１から受け取る設定情報の示すＤＣＩの送信領域としてＰＤＣＣＨ領域及びＲ−ＰＤＣＣＨ領域の双方が設定されている場合、ＰＤＣＣＨ領域及びＲ−ＰＤＣＣＨ領域において、上述した複数のＤＣＩ割当領域候補を有するサーチスペース（Ｃ−ＳＳ及びＵＥ−ＳＳ）をそれぞれ設定する。
【００５３】
そして、サーチスペース設定部１０３は、設定したＣ−ＳＳ及び各端末のＵＥ−ＳＳを示すサーチスペース情報を割当部１０６及び符号化・変調部１０７に出力する。
【００５４】
ＰＤＣＣＨ生成部１０４は、制御部１０２から受け取る、端末個別のデータ割当向けの割当制御情報（つまり、端末毎の上りリソース割当情報、下りリソース割当情報、ＭＣＳ情報およびＮＤＩ等）を含むＤＣＩ、または、共通チャネル向け割当制御情報（つまり、端末共通の報知情報およびＰａｇｉｎｇ情報等）を含むＤＣＩを生成する。このとき、ＰＤＣＣＨ生成部１０４は、端末毎に生成する上り割当制御情報および下り割当制御情報に対してＣＲＣビットを付加し、さらにＣＲＣビットを端末ＩＤでマスキング（または、スクランブリング）する。また、ＰＤＣＣＨ生成部１０４は、設定部１０１から受け取る設定情報の示す割当可能ＲＢ領域（下り回線データに対して使用可能なＲＢ候補）のうち、下り回線データに対して実際に使用するリソース領域（つまり、各端末２００に対して選択されたＲＢ）を含むＤＣＩを生成する。そして、ＰＤＣＣＨ生成部１０４は、マスキング後の信号を、符号化・変調部１０５に出力する。
【００５５】
符号化・変調部１０５は、ＰＤＣＣＨ生成部１０４から受け取るＤＣＩをチャネル符号化後に変調して、変調後の信号を割当部１０６に出力する。ここで、符号化・変調部１０５は、各端末から報告されるチャネル品質情報（ＣＱＩ：Channel Quality Indicator）情報に基づいて、各端末で十分な受信品質が得られるように符号化率を設定する。例えば、符号化・変調部１０５は、セル境界付近に位置する端末ほど（つまり、チャネル品質が悪い端末ほど）、より低い符号化率を設定する。
【００５６】
割当部１０６は、符号化・変調部１０５から受け取る、共通チャネル向け割当制御情報を含むＤＣＩ、および、各端末に対する端末個別のデータ割当向けの割当制御情報を含むＤＣＩを、サーチスペース設定部１０３から受け取るサーチスペース情報が示す、Ｃ−ＳＳ内のＣＣＥまたはＲ−ＣＣＥ、もしくは、端末毎のＵＥ−ＳＳ内のＣＣＥまたはＲ−ＣＣＥに、それぞれ割り当てる。例えば、割当部１０６は、Ｃ−ＳＳ（例えば、図７）内のＤＣＩ割当領域候補群の中から１つのＤＣＩ割当領域候補を選択する。そして、割当部１０６は、共通チャネル向け割当制御情報を含むＤＣＩを、選択したＤＣＩ割当領域候補内のＣＣＥ（または、Ｒ−ＣＣＥ。以下、ＣＣＥとＲ−ＣＣＥを区別せず、単にＣＣＥと呼ぶことがある）に割り当てる。前述したように、ＣＣＥは、ＰＤＣＣＨを構成するリソース単位であり、Ｒ−ＣＣＥは、Ｒ−ＰＤＣＣＨを構成するリソース単位である。
【００５７】
また、割当部１０６は、割当対象端末向けのＤＣＩフォーマットが送信モード依存のＤＣＩフォーマット（例えば、ＤＣＩ  １，１Ｂ，１Ｄ，２，２Ａ，０Ａ，０Ｂ）の場合には、当該割当対象端末に設定されたＵＥ−ＳＳ内のＣＣＥをＤＣＩに対して割り当てる。一方、割当部１０６は、割当対象端末向けのＤＣＩフォーマットが、全端末共通のフォーマット（例えば、ＤＣＩ  ０／１Ａ）の場合には、Ｃ−ＳＳ内のＣＣＥ又は当該割当対象端末に設定されたＵＥ−ＳＳ内のＣＣＥをＤＣＩに対して割り当てる。
【００５８】
ここで、１つのＤＣＩに割り当てられるＣＣＥの連結数は、符号化率及びＤＣＩのビット数（つまり、割当制御情報の情報量）によって異なる。例えば、セル境界付近に位置する端末宛てのＤＣＩの符号化率は低く設定されるので、より多くの物理リソースが必要である。従って、割当部１０６は、セル境界付近に位置する端末宛てのＤＣＩに対して、より多くのＣＣＥを割り当てる。
【００５９】
そして、割当部１０６は、ＤＣＩに割り当てたＣＣＥに関する情報を多重部１０９およびＡＣＫ／ＮＡＣＫ受信部１２０に出力する。また、割当部１０６は、符号化・変調後のＤＣＩを多重部１０９に出力する。
【００６０】
符号化・変調部１０７は、設定部１０１から受け取る設定情報、及び、サーチスペース設定部１０３から受け取るサーチスペース情報（すなわち、上位レイヤの制御情報）をチャネル符号化後に変調して、変調後の設定情報及びサーチスペース情報を多重部１０９に出力する。
【００６１】
符号化・変調部１０８は、入力される送信データ（下り回線データ）をチャネル符号化後に変調して、変調後の送信データ信号を多重部１０９に出力する。
【００６２】
多重部１０９は、割当部１０６から受け取る符号化・変調後のＤＣＩ信号、符号化・変調部１０７から受け取る設定情報並びにサーチスペース情報（すなわち、上位レイヤの制御情報）、および符号化・変調部１０８から入力されるデータ信号（つまり、ＰＤＳＣＨ信号）を時間軸上および周波数軸上で多重する。ここで、多重部１０９は、制御部１０２から受け取る下りリソース割当情報に基づいて、ＰＤＣＣＨ信号およびデータ信号（ＰＤＳＣＨ信号）をマッピングする。なお、多重部１０９は、設定情報をＰＤＳＣＨにマッピングしてもよい。そして、多重部１０９は、多重信号をＩＦＦＴ部１１０に出力する。
【００６３】
ＩＦＦＴ部１１０は、多重部１０９からのアンテナ毎の多重信号を時間波形に変換し、ＣＰ付加部１１１は、この時間波形にＣＰを付加することによりＯＦＤＭ信号を得る。
【００６４】
送信ＲＦ部１１２は、ＣＰ付加部１１１から入力されるＯＦＤＭ信号に対して送信無線処理（アップコンバート、ディジタルアナログ（Ｄ／Ａ）変換など）を施し、アンテナ１１３を介して送信する。
【００６５】
一方、受信ＲＦ部１１４は、アンテナ１１３を介して受信帯域で受信した受信無線信号に対して受信無線処理（ダウンコンバート、アナログディジタル（Ａ／Ｄ）変換など）を施し、得られた受信信号をＣＰ除去部１１５に出力する。
【００６６】
ＣＰ除去部１１５は、受信信号からＣＰを除去し、ＦＦＴ（Fast Fourier Transform）部１１６は、ＣＰ除去後の受信信号を周波数領域信号に変換する。
【００６７】
抽出部１１７は、制御部１０２から受け取る上りリソース割当情報に基づいて、ＦＦＴ部１１６から受け取る周波数領域信号から上り回線データを抽出し、ＩＤＦＴ部１１８は、抽出信号を時間領域信号に変換し、その時間領域信号をデータ受信部１１９およびＡＣＫ／ＮＡＣＫ受信部１２０に出力する。
【００６８】
データ受信部１１９は、ＩＤＦＴ部１１８から入力される時間領域信号を復号する。そして、データ受信部１１９は、復号後の上り回線データを受信データとして出力する。
【００６９】
ＡＣＫ／ＮＡＣＫ受信部１２０は、ＩＤＦＴ部１１８から受け取る時間領域信号のうち、下り回線データ（ＰＤＳＣＨ信号）に対する各端末からのＡＣＫ／ＮＡＣＫ信号を抽出する。具体的には、ＡＣＫ／ＮＡＣＫ受信部１２０は、そのＡＣＫ／ＮＡＣＫ信号を、割当部１０６から受け取る情報に基づいて、上り回線制御チャネル（例えば、ＰＵＣＣＨ（Physical Uplink Control Channel））から抽出する。また、その上り回線制御チャネルは、その下り回線データに対応する下り割当制御情報の送信に用いられたＣＣＥに対応付けられた上り回線制御チャネルである。
【００７０】
そして、ＡＣＫ／ＮＡＣＫ受信部１２０は、抽出したＡＣＫ／ＮＡＣＫ信号のＡＣＫ／ＮＡＣＫ判定を行う。
【００７１】
なお、ここでは、ＣＣＥとＰＵＣＣＨとが対応付けられているのは、端末がＡＣＫ／ＮＡＣＫ信号の送信に用いるＰＵＣＣＨを基地局から各端末へ通知するためのシグナリングを不要にするためである。これにより、下り回線の通信リソースを効率良く使用することができる。従って、各端末は、この対応付けに従って、自端末への下り割当制御情報（ＤＣＩ）がマッピングされているＣＣＥに基づいて、ＡＣＫ／ＮＡＣＫ信号の送信に用いるＰＵＣＣＨを判定している。
【００７２】
［端末２００の構成］
図８は、本発明の実施の形態１に係る端末２００の構成を示すブロック図である。ここでは、端末２００は、ＬＴＥ−Ａ端末であり、データ信号（下り回線データ）を受信し、そのデータ信号に対するＡＣＫ／ＮＡＣＫ信号を上り制御チャネル（ＰＵＣＣＨ）を用いて基地局１００へ送信する。
【００７３】
図８において、端末２００は、アンテナ２０１と、受信ＲＦ部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ部２１１と、マッピング部２１２と、ＩＦＦＴ部２１３と、ＣＰ付加部２１４と、送信ＲＦ部２１５とを有する。
【００７４】
受信ＲＦ部２０２は、設定情報受信部２０６から受け取る帯域情報に基づいて、受信帯域を設定する。受信ＲＦ部２０２は、アンテナ２０１を介して受信帯域で受信した無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、設定情報、サーチスペース情報及び割当可能ＲＢの情報を含む上位レイヤの制御情報、ＰＤＳＣＨ信号、及び、ＤＣＩ（割当制御情報）が含まれている可能性がある。また、ＤＣＩは、端末２００および他の端末に対して設定された共通のサーチスペース（Ｃ−ＳＳ）、または、端末２００に対して設定された個別のサーチスペース（ＵＥ−ＳＳ）に割り当てられている。
【００７５】
ＣＰ除去部２０３は、受信信号からＣＰを除去し、ＦＦＴ部２０４は、ＣＰ除去後の受信信号を周波数領域信号に変換する。この周波数領域信号は、分離部２０５に出力される。
【００７６】
分離部２０５は、ＦＦＴ部２０４から受け取る信号のうち、ＤＣＩを含む可能性のある成分（すなわち、ＰＤＣＣＨ領域およびＲ−ＰＤＣＣＨ領域から抜き出された信号）を、ＰＤＣＣＨ受信部２０７に出力する。また、分離部２０５は設定情報、サーチスペース情報及び割当可能ＲＢの情報を含む上位レイヤの制御信号（例えば、RRC signaling等）を設定情報受信部２０６に出力し、データ信号（つまり、ＰＤＳＣＨ信号）をＰＤＳＣＨ受信部２０８に出力する。なお、設定情報、サーチスペース情報及び割当可能ＲＢの情報を含む上位レイヤの制御信号がＰＤＳＣＨを通して送信される場合には、分離部２０５は、ＰＤＳＣＨ受信部２０８で受信した後の信号から、設定情報を抽出する。
【００７７】
設定情報受信部２０６は、分離部２０５から受け取る上位レイヤの制御信号から、自端末に設定された端末ＩＤを示す情報、自端末に設定されたリソース領域を示す帯域情報、自端末に設定されたサーチスペース情報、及び自端末に設定された送信モードを示す情報を読み取る。
【００７８】
そして、自端末に設定された帯域情報は、ＰＤＣＣＨ受信部２０７、受信ＲＦ部２０２および送信ＲＦ部２１５に出力される。また、自端末に設定された端末ＩＤを示す情報は、端末ＩＤ情報としてＰＤＣＣＨ受信部２０７に出力される。また、自端末に設定されたサーチスペース情報は、サーチスペース領域情報としてＰＤＣＣＨ受信部２０７に出力される。また、自端末に設定された送信モードを示す情報は、送信モード情報としてＰＤＣＣＨ受信部２０７に出力される。また、割当可能ＲＢの情報は、割当可能ＲＢ情報としてＰＤＣＣＨ受信部２０７に出力される。
【００７９】
ＰＤＣＣＨ受信部２０７は、分離部２０５から入力される信号をブラインド復号（モニタ）して、自端末宛てのＤＣＩを得る。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，１Ｂ，１Ｄ，２，２Ａ，０Ａ，０Ｂ）および全端末共通の共通チャネル割当向けのＤＣＩフォーマット（例えば、ＤＣＩ  １Ｃ，１Ａ）のそれぞれに対して、ブラインド復号する。これにより、各ＤＣＩフォーマットの割当制御情報を含むＤＣＩが得られる。
【００８０】
具体的には、ＰＤＣＣＨ受信部２０７は、設定情報受信部２０６から受け取るサーチスペース領域情報に示されるＣ−ＳＳに対して、共通チャネル割当向けのＤＣＩフォーマット（ＤＣＩ  １Ｃ，１Ａ）および全端末共通のデータ割当向けＤＣＩフォーマット（ＤＣＩ  ０／１Ａ）のブラインド復号を行う。すなわち、ＰＤＣＣＨ受信部２０７は、Ｃ−ＳＳ内の各復号領域候補（つまり、端末２００に割り当てられるＣＣＥ領域の候補）について、共通チャネル割当向けのＤＣＩフォーマットのサイズ、および、全端末共通のデータ割当向けのＤＣＩフォーマットのサイズを対象として、復調および復号する。そして、ＰＤＣＣＨ受信部２０７は、復号後の信号に対して、複数の端末の間で共通のＩＤによってＣＲＣビットをデマスキングする。そして、ＰＤＣＣＨ受信部２０７は、デマスキングの結果、ＣＲＣ＝ＯＫ（誤り無し）となった信号を、共通チャネル向けの割当制御情報が含まれるＤＣＩであると判定する。また、ＰＤＣＣＨ受信部２０７は、復号後の信号に対して、端末ＩＤ情報が示す自端末の端末ＩＤによってＣＲＣビットをデマスキングする。そして、ＰＤＣＣＨ受信部２０７は、デマスキングの結果、ＣＲＣ＝ＯＫ（誤り無し）となった信号を、自端末向けの割当制御情報が含まれるＤＣＩであると判定する。すなわち、ＰＤＣＣＨ受信部２０７は、Ｃ−ＳＳでは、ＤＣＩ  ０／１Ａの割当制御情報が共通チャネル向けであるか又は自端末向けのデータ割当向けであるかを、端末ＩＤ（複数の端末の間で共通のＩＤ、または、端末２００の端末ＩＤ）によって区別する。
【００８１】
また、ＰＤＣＣＨ受信部２０７は、設定情報受信部２０６から受け取る端末ＩＤ情報の示す自端末の端末ＩＤを用いて、自端末のＵＥ−ＳＳを、各ＣＣＥ連結数に対してそれぞれ算出する。そして、ＰＤＣＣＨ受信部２０７は、算出したＵＥ−ＳＳ内の各ブラインド復号領域候補（各ＣＣＥ連結数のＣＣＥ領域の候補）について、自端末に設定された送信モード（送信モード情報に示される送信モード）に対応したＤＣＩフォーマットのサイズおよび全端末共通のＤＣＩフォーマット（ＤＣＩ  ０／１Ａ）のサイズを対象として、復調および復号する。そして、ＰＤＣＣＨ受信部２０７は、復号後の信号に対して、自端末の端末ＩＤでＣＲＣビットをデマスキングする。そして、ＰＤＣＣＨ受信部２０７は、デマスキングの結果、ＣＲＣ＝ＯＫ（誤り無し）となった信号を、自端末宛てのＤＣＩであると判定する。
【００８２】
ＰＤＣＣＨ受信部２０７は、設定情報受信部２０６から受け取るサーチスペース領域情報の示す領域としてＲ−ＰＤＣＣＨ領域を含む場合にも、上述したＰＤＣＣＨ領域と同様にして、Ｒ−ＰＤＣＣＨ領域に設定されたサーチスペースをブラインド復号（モニタ）して、Ｒ−ＰＤＣＣＨを用いて送信される自端末宛てのＤＣＩを得る。ここで、ＰＤＣＣＨ受信部２０７においてＲ−ＰＤＣＣＨ領域に設定されたサーチスペースをブラインド復号する際に対象とするＤＣＩフォーマットは、例えば、ＰＤＣＣＨ領域と比較して、割当可能ＲＢ領域が限定されたＲＢ割当情報を用いたＤＣＩフォーマット、つまり、より少ないビット数のＤＣＩサイズとする。
【００８３】
また、設定情報受信部２０６から入力されるサーチスペース領域情報（サーチスペースの配分）がない場合（基地局１００がサーチスペース情報を送信しない場合）には、端末２００は、サーチスペースの配分を意識せずに、自端末宛てのＤＣＩが割り当てられている可能性がある複数のＤＣＩの送信領域においてブラインド復号を行ってもよい。
【００８４】
そして、ＰＤＣＣＨ受信部２０７は、下り割当制御情報を受信した場合には自端末宛てのＤＣＩに含まれる下りリソース割当情報をＰＤＳＣＨ受信部２０８に出力し、上り割当制御情報を受信した場合には上りリソース割当情報をマッピング部２１２に出力する。また、ＰＤＣＣＨ受信部２０７は、自端末宛てのＤＣＩの送信に用いられたＣＣＥ（ＣＲＣ＝ＯＫとなった信号の送信に用いられていたＣＣＥ）のＣＣＥ番号（ＣＣＥ連結数が複数の場合は先頭のＣＣＥのＣＣＥ番号）をマッピング部２１２に出力する。なお、ＰＤＣＣＨ受信部２０７におけるブラインド復号（モニタ）処理の詳細については後述する。
【００８５】
ＰＤＳＣＨ受信部２０８は、ＰＤＣＣＨ受信部２０７から受け取る下りリソース割当情報に基づいて、分離部２０５から受け取るＰＤＳＣＨ信号から、受信データ（下り回線データ）を抽出する。つまり、ＰＤＳＣＨ受信部２０８は、複数のＤＣＩ割当領域候補（ブラインド復号領域候補）の内のいずれかに割り当てられた端末２００宛ての下りリソース割当情報（割当制御情報）に基づいて、下り回線データ（下りデータ信号）を受信する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。このＡＣＫ／ＮＡＣＫ信号は、変調部２０９に出力される。
【００８６】
変調部２０９は、ＰＤＳＣＨ受信部２０８から受け取るＡＣＫ／ＮＡＣＫ信号を変調し、変調後のＡＣＫ／ＮＡＣＫ信号をマッピング部２１２に出力する。
【００８７】
変調部２１０は、送信データ（上り回線データ）を変調し、変調後のデータ信号をＤＦＴ部２１１に出力する。
【００８８】
ＤＦＴ部２１１は、変調部２１０から受け取るデータ信号を周波数領域に変換し、得られる複数の周波数成分をマッピング部２１２に出力する。
【００８９】
マッピング部２１２は、ＰＤＣＣＨ受信部２０７から受け取る上りリソース割当情報に従って、ＤＦＴ部２１１から受け取る複数の周波数成分を、ＰＵＳＣＨにマッピングする。また、マッピング部２１２は、ＰＤＣＣＨ受信部２０７から受け取るＣＣＥ番号に従ってＰＵＣＣＨを特定する。そして、マッピング部２１２は、変調部２０９から入力されるＡＣＫ／ＮＡＣＫ信号を、上記特定したＰＵＣＣＨにマッピングする。
【００９０】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００９１】
送信ＲＦ部２１５は、送信帯域を変更可能に構成されている。送信ＲＦ部２１５は、設定情報受信部２０６から受け取る帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施して、アンテナ２０１を介して送信する。
【００９２】
［基地局１００及び端末２００の動作］
基地局１００において、設定部１０１は、Ｒ−ＰＤＣＣＨで送信されるＤＣＩを用いて各端末２００に通知可能な送信パラメータの設定値候補群（つまり、設定可能な設定値の集まり）として、ＰＤＣＣＨで送信されるＤＣＩを用いて各端末２００に通知可能な送信パラメータの設定値候補群（ここでは、Ｒ−ＰＤＣＣＨに対応して設定される設定値の基準となる設定値候補群であるので基準設定値候補群と呼ぶことがある）の一部を設定する。
【００９３】
また、本実施の形態では、上記送信パラメータ（設定値）を、端末２００向けの下り回線データを割り当てるＲＢとする。すなわち、設定部１０１は、ＰＤＣＣＨで送信されるＤＣＩを用いて各端末２００に通知可能な割当可能ＲＢ領域（つまり、ＲＢの設定値候補群であり，Ｒ−ＰＤＣＣＨに対する基準設定値候補群）を構成する複数のＲＢ（ここでは、システム帯域内の全ＲＢ）の一部を、Ｒ−ＰＤＣＣＨで送信されるＤＣＩを用いて各端末２００に通知可能な割当可能ＲＢ領域（設定値候補群）に設定する。
【００９４】
換言すると、設定部１０１は、ＰＤＣＣＨで送信されるＤＣＩを用いて通知可能な割当ＲＢ候補数よりも、Ｒ−ＰＤＣＣＨで送信されるＤＣＩを用いて通知可能な割当ＲＢ候補数を少なく設定する。つまり、Ｒ−ＰＤＣＣＨにおいて割当可能なＲＢの範囲が、ＰＤＣＣＨにおいて割当可能なＲＢの範囲よりも狭い。
【００９５】
そして、制御部１０２は、設定部１０１で設定された割当可能ＲＢ領域（設定値候補群）の中から端末２００に対するＲＢを選択する。また、ＰＤＣＣＨ生成部１０４は、設定部１０１で設定された割当可能ＲＢ領域のうち、制御部１０２で端末２００に対して実際に選択されたＲＢ（設定値）を含むＤＣＩを生成する。こうして、ＤＣＩは、ＰＤＣＣＨ領域又はＲ−ＰＤＣＣＨ領域を用いて端末２００へ送信される。
【００９６】
一方、端末２００では、ＰＤＣＣＨ受信部２０７は、ＰＤＣＣＨ領域及びＲ−ＰＤＣＣＨ領域にそれぞれ設定されたサーチスペースをブラインド復号（モニタ）して、ＰＤＣＣＨ又はＲ−ＰＤＣＣＨを用いて送信される自機宛てのＤＣＩを得る。このとき、ＰＤＣＣＨ受信部２０７は、設定情報受信部２０６から受け取るサーチスペース領域情報の示す領域がＲ−ＰＤＣＣＨ領域の場合には、ＰＤＣＣＨ領域と比較して、より少ないビット数のＤＣＩサイズのＤＣＩフォーマットをブラインド復号対象とする。
【００９７】
以下で設定部１０１における、割当可能ＲＢ領域の設定方法１及び２について説明する。
【００９８】
＜設定方法１＞
前述したように、ヘテロジニアスネットワークでは、Ｒ−ＰＤＣＣＨ領域においてマクロセルとピコ／フェムトセルとの間で干渉制御が行われることが考えられる。また、Ｒ−ＰＤＣＣＨを用いてＤＣＩが送信される端末においては、データ信号（ＰＤＳＣＨ領域。つまり、Ｒ−ＰＤＣＣＨ領域以外のＲＢ領域）でも干渉制御が行われる。
【００９９】
具体的には、セル種別（マクロセル及びピコ／フェムトセル）が異なる各セルで特定のＲＢの送信電力の増減（送信のＯＮ／ＯＦＦ）をそれぞれ制御することにより、互いに与える干渉（セル間干渉）が低減される。
【０１００】
例えば、図９に示すように、システム帯域内の１４ＲＢのうち、低い周波数側のＲＢ領域（７ＲＢ）において、マクロセルでは送信電力を大きくし（送信電力：大）、ピコ／フェムトセルでは送信電力を小さくする（送信電力：小）。これに対して、図９に示すようい、システム帯域内の１４ＲＢのうち、高い周波数側のＲＢ領域（７ＲＢ）において、マクロセルでは送信電力を小さくし（送信電力：小）、ピコ／フェムトセルでは送信電力を大きくする（送信電力：大）。
【０１０１】
このように、図９に示す低い周波数側のＲＢ領域（７ＲＢ）では、ピコ／フェムトセルでの送信電力を低減することで、マクロセルにおけるセル間干渉（ピコ／フェムトセルからの干渉）が低減される（干渉：小）。同様に、図９に示す高い周波数側のＲＢ領域（７ＲＢ）では、マクロセルでの送信電力を低減することで、ピコ／フェムトセルにおけるセル間干渉（マクロセルからの干渉）が低減される（干渉：小）。
【０１０２】
そこで、本設定方法では、設定部１０１は、ＰＤＣＣＨで送信されるＤＣＩを用いて各端末２００に通知可能な割当可能ＲＢ領域（基準設定値候補群）を構成する複数のＲＢ（システム帯域内の全ＲＢ）のうち、基地局１００以外の他の基地局（他のセル種別）からの干渉がより小さい一部のＲＢを、Ｒ−ＰＤＣＣＨで送信されるＤＣＩを用いて各端末２００に通知可能な割当可能ＲＢ領域（ＲＢの設定値候補群）に設定する。つまり、ＰＤＣＣＨにおいて割当可能な複数のＲＢのうち、基地局１００以外の他の基地局からの干渉がより小さい一部のＲＢを、Ｒ−ＰＤＣＣＨにおいて割当可能なＲＢとする。
【０１０３】
なお、ここでは、マクロセル及びピコ／フェムトセルには、本実施の形態に係る基地局１００がそれぞれ備えられる。
【０１０４】
具体的には、図９に示すように、マクロセルが備える基地局１００の設定部１０１は、Ｒ−ＰＤＣＣＨで送信されるＤＣＩを用いて端末２００に通知可能な割当可能ＲＢ領域として、ピコ／フェムトセルからの干渉が小さいＲＢ領域（干渉：小）、つまり、低い周波数側のＲＢ領域（７ＲＢ）を設定する。同様に、図９に示すように、ピコ／フェムトセルが備える基地局１００の設定部１０１は、Ｒ−ＰＤＣＣＨで送信されるＤＣＩを用いて端末２００に通知可能な割当可能ＲＢ領域として、マクロセルからの干渉が小さいＲＢ領域（干渉：小）、つまり、高い周波数側のＲＢ領域（７ＲＢ）を設定する。
【０１０５】
換言すると、マクロセル及びピコ／フェムトセルは、Ｒ−ＰＤＣＣＨで送信されるＤＣＩを用いて端末２００に通知可能な割当可能ＲＢ領域として、自セルの送信電力が大きいＲＢ領域（送信電力：大。つまり、干渉耐性が高いＲＢ領域）を設定する。
【０１０６】
一方、マクロセル及びピコ／フェムトセルは、ＰＤＣＣＨで送信されるＤＣＩを用いて端末２００に通知可能な割当可能ＲＢ領域として、システム帯域内の１４ＲＢすべてを設定する。
【０１０７】
すなわち、マクロセル及びピコ／フェムトセルの各設定部１０１は、ＰＤＣＣＨで送信されるＤＣＩを用いて端末２００に通知可能なＲＢ候補数（１４ＲＢ）よりも、Ｒ−ＰＤＣＣＨで送信されるＤＣＩを用いて端末２００に通知可能なＲＢ候補数（７ＲＢ）を少なく設定する。具対的には、設定部１０１は、ＰＤＣＣＨで送信されるＤＣＩを用いて通知可能な複数のＲＢ（システム帯域内のＲＢ領域）の一部のＲＢを、Ｒ−ＰＤＣＣＨで送信されるＤＣＩを用いて通知可能なＲＢ候補に設定する。つまり、設定部１０１は、端末２００に対してＲ−ＰＤＣＣＨを用いてＤＣＩを送信する際には、下り回線データのＲＢ割当対象を、ＰＤＣＣＨを用いてＤＣＩを送信する際のＲＢ領域（システム帯域内のＲＢ領域）の中の一部のＲＢ領域のみに限定する。
【０１０８】
これにより、Ｒ−ＰＤＣＣＨを用いてＤＣＩを送信する場合には、ＰＤＣＣＨを用いてＤＣＩを送信する場合と比較して、リソース割当結果を表すビット数が少なくなるので、ＤＣＩビット数（ＤＣＩサイズ）が削減される。すなわち、基地局１００では、ＰＤＣＣＨを用いて送信されるＤＣＩのＤＣＩサイズよりも、Ｒ−ＰＤＣＣＨを用いて送信されるＤＣＩのＤＣＩサイズが小さくなる。
【０１０９】
このようにして、Ｒ−ＰＤＣＣＨを用いて送信されるＤＣＩに含まれる、端末２００向けの下り回線データのリソース割当結果を示すビット数を削減することにより、Ｒ−ＰＤＣＣＨ領域として使用される総ＲＢ数を低減できる。つまり、ＤＣＩビット数を削減することにより、ＰＤＳＣＨ領域のうち、Ｒ−ＰＤＣＣＨ領域として使用されるリソース領域（総ＲＢ数）を低減でき、下り回線データに使用可能なリソース領域（ＰＤＳＣＨ領域）の減少を抑えることができるので、システムスループットの劣化を抑えることができる。
【０１１０】
また、ここで、図９に示すように、Ｒ−ＰＤＣＣＨを用いてＤＣＩを送信する必要のある端末に対しては、ＰＤＣＣＨを用いてＤＣＩを送信する必要のある端末よりも割当可能なＲＢ領域が小さくなり、ＲＢ割当の柔軟性が低下する。しかし、Ｒ−ＰＤＣＣＨを用いてＤＣＩを送信する必要のある端末、つまり、干渉制御によりセル間干渉を低減する必要のある端末は、セル境界付近に位置する可能性が高い。よって、例えば、ＰＦ（Proportional Fair）スケジューラ等によってリソース割当を行う場合には、Ｒ−ＰＤＣＣＨを用いてＤＣＩを送信する必要のある端末に対して干渉の小さいＲＢが割り当てられる確率が高くなる。例えば、図９において、マクロセルでは、セル境界付近に位置する端末向けの下り回線データに対しては、ピコ／フェムトセルからの干渉の小さいＲＢ領域（低い周波数側のＲＢ領域（７ＲＢ））のいずれかが割り当てられる確率が高い。
【０１１１】
このため、図９に示すように、Ｒ−ＰＤＣＣＨを用いて送信されるＤＣＩによって割当可能なＲＢ領域を、干渉制御により他のセル種別の基地局からの干渉のより小さいＲＢ領域のみに限定しても、Ｒ−ＰＤＣＣＨを用いてＤＣＩが送信される端末において、ＲＢ割当の柔軟性の低下がスループットに与える影響は小さい。
【０１１２】
このように、基地局１００は、ＰＤＣＣＨで送信されるＤＣＩを用いて端末２００に通知可能なＲＢ候補数よりも、Ｒ−ＰＤＣＣＨで送信されるＤＣＩを用いて端末２００に通知可能なＲＢ候補数を少なく設定する。更に、基地局１００は、Ｒ−ＰＤＣＣＨを用いてＤＣＩが送信される端末２００向けの下り回線データに対する割当可能ＲＢ領域として、他のセル種別の基地局からの干渉がより小さいＲＢ領域を設定する。これにより、Ｒ−ＰＤＣＣＨを用いてＤＣＩが送信される端末でのスループットを低下させることなく、システムスループットの劣化を抑えることができる。
【０１１３】
よって、本設定方法によれば、基地局に接続された端末向けのＤＣＩを、Ｒ−ＰＤＣＣＨ領域で送信する場合でも、データスループットの劣化を防止できる。
【０１１４】
＜設定方法２＞
本設定方法では、設定部１０１は、Ｒ−ＰＤＣＣＨで送信されるＤＣＩを用いて通知可能な割当可能ＲＢ領域（ＲＢの設定値候補群）として、Ｒ−ＰＤＣＣＨに対して設定されたサーチスペースを構成するＲＢを設定する。
【０１１５】
前述したように、Ｒ−ＰＤＣＣＨは、周波数領域では１ＲＢ幅の範囲を持つリソース領域にマッピングされる。よって、Ｒ−ＰＤＣＣＨ向けのサーチスペース（ＤＣＩ割当領域候補又はブラインド復号領域候補）はＲＢ単位で設定される。
【０１１６】
例えば、図１０に示すように、設定部１０１は、システム帯域内の１４ＲＢのうち、低い周波数側の７ＲＢを、Ｒ−ＰＤＣＣＨ向けのサーチスペースとして設定する。
【０１１７】
そこで、設定部１０１は、Ｒ−ＰＤＣＣＨで送信されるＤＣＩを用いて端末２００に通知可能な割当可能ＲＢ領域（ＲＢの設定値候補群割当ＲＢ候補）として、ＰＤＣＣＨで送信されるＤＣＩを用いて端末２００に通知可能な割当可能ＲＢ領域（基準設定値候補群）を構成する複数のＲＢ（システム帯域内の全ＲＢ）のうち、Ｒ−ＰＤＣＣＨ向けのサーチスペースを構成する一部のＲＢ（低い周波数側の７ＲＢ）を設定する。つまり、ＰＤＣＣＨにおいて割当可能な複数のＲＢのうち、Ｒ−ＰＤＣＣＨに対して設定されたサーチスペースを構成する一部のＲＢを、Ｒ−ＰＤＣＣＨにおいて割当可能なＲＢとする。
【０１１８】
一方、設定部１０１は、設定方法１と同様、ＰＤＣＣＨで送信されるＤＣＩを用いて端末２００に通知可能な割当可能ＲＢ領域として、システム帯域内の１４ＲＢすべてを設定する。
【０１１９】
すなわち、設定部１０１は、設定方法１と同様、ＰＤＣＣＨで送信されるＤＣＩを用いて端末２００に通知可能なＲＢ候補数（１４ＲＢ）よりも、Ｒ−ＰＤＣＣＨで送信されるＤＣＩを用いて端末２００に通知可能なＲＢ候補数（７ＲＢ）を少なく設定する。
【０１２０】
よって、設定方法１と同様、Ｒ−ＰＤＣＣＨで送信されるＤＣＩに含まれる、端末２００向けの下り回線データのリソース割当結果を示すビット数を削減することにより、ＰＤＳＣＨ領域のうち、Ｒ−ＰＤＣＣＨ領域として使用されるリソース領域（総ＲＢ数）を低減できる。このように、ＤＣＩビット数を削減することにより、下り回線データに使用可能なリソース領域（ＰＤＳＣＨ領域）の減少を抑えることができるので、システムスループットの劣化を抑えることができる。
【０１２１】
また、前述したように、十分低い誤り率でＤＣＩを受信できるように、互いに異なるセル種別のセル間において、一方のセルは、他方のセルで設定されるＲ−ＰＤＣＣＨ領域を構成する特定のＲＢでの送信電力を低くする。つまり、各セルでは、Ｒ−ＰＤＣＣＨ向けのサーチスペースを構成するＲＢでは、他のセルからの干渉は小さい。
【０１２２】
つまり、設定部１０１では、設定方法１と同様、Ｒ−ＰＤＣＣＨで送信されるＤＣＩを用いて通知可能な割当可能ＲＢ領域として、他のセル種別の基地局からの干渉がより小さいＲＢ領域が設定される。
【０１２３】
よって、図１０に示すように、Ｒ−ＰＤＣＣＨを用いて送信されるＤＣＩによって割当可能なＲＢ領域を、Ｒ−ＰＤＣＣＨ向けのサーチスペースを構成するＲＢ領域（つまり、干渉制御により他のセル種別の基地局からの干渉のより小さいＲＢ領域）のみに限定しても、Ｒ−ＰＤＣＣＨを用いてＤＣＩが送信される端末において、ＲＢ割当の柔軟性の低下がスループットに与える影響は小さい。
【０１２４】
よって、本設定方法によれば、設定方法１と同様、基地局に接続された端末向けのＤＣＩを、Ｒ−ＰＤＣＣＨ領域で送信する場合でも、Ｒ−ＰＤＣＣＨを用いてＤＣＩが送信される端末でのスループットを低下させることなく、システムスループットの劣化を抑えることができる。
【０１２５】
なお、Ｒ−ＰＤＣＣＨ向けのサーチスペース以外にも、端末がＲ−ＰＤＣＣＨをブラインド復号する対象となるＲＢ領域を、Ｒ−ＰＤＣＣＨを用いて通知可能なＲＢ候補とするようにしても本設定方法と同様の効果が得られる。
【０１２６】
以上、設定部１０１における、割当可能ＲＢ領域の設定方法１及び２について説明した。
【０１２７】
以上のように本実施の形態によれば、基地局１００において、設定部１０１が端末２００向けの下り回線データが割り当てられるＰＤＳＣＨ領域と同一のリソース領域にマッピングされるＲ−ＰＤＣＣＨで送信されるＤＣＩを用いて端末２００に通知可能な割当可能ＲＢ領域（ＲＢの設定値候補群）として、ＲＢの基準設定値候補群（ここでは、Ｒ−ＰＤＣＣＨで送信されるＤＣＩを用いて端末２００に通知可能な割当可能ＲＢ領域）の一部を設定する。また、制御部１０２が設定部１０１で設定された上記設定値候補群の中から、端末２００に対するＲＢ（設定値）を選択する。また、ＰＤＣＣＨ生成部１０４が端末２００に対して選択されたＲＢ（設定値）を含むＤＣＩを生成する。
【０１２８】
このとき、Ｒ−ＰＤＣＣＨとＰＤＣＣＨとにおいて、設定可能なＲＢ（設定値）の範囲が異なる。具体的には、Ｒ−ＰＤＣＣＨにおいて設定可能な設定値の範囲が、ＰＤＣＣＨにおいて設定可能な設定値の範囲よりも限定されている。例えば、Ｒ−ＰＤＣＣＨにおいて設定可能な設定値の範囲は、ＰＤＣＣＨにおいて設定可能な設定値の範囲の一部である。すなわち、ＰＤＣＣＨ生成部１０４で生成される制御情報（ＤＣＩ）では、Ｒ−ＰＤＣＣＨにおける制御情報の情報量は、ＰＤＣＣＨにおける制御情報の情報量よりも小さい。
【０１２９】
こうすることで、Ｒ−ＰＤＣＣＨ領域では、十分低い誤り率でＤＣＩを受信するために必要なＲＢ数を少なくすることができ、基地局１００に接続された端末２００向けのＤＣＩを、Ｒ−ＰＤＣＣＨ領域で送信する場合でも、システムスループットの劣化を抑えることができる。
【０１３０】
また、基地局１００において、設定部１０１は、ＰＤＣＣＨで送信されるＤＣＩを用いて端末２００に通知可能な割当可能ＲＢ領域（基準設定値候補群）のうち、基地局１００以外の他の基地局（他のセル種別）からの干渉がより小さい一部のＲＢを、Ｒ−ＰＤＣＣＨで送信されるＤＣＩを用いて端末２００に通知可能な割当可能ＲＢ領域に設定する。
【０１３１】
こうすることで、Ｒ−ＰＤＣＣＨを用いてＤＣＩが送信される端末において、割当可能ＲＢ領域が限定されることによるＲＢ割当の柔軟性の低下が、スループットに与える影響を小さくすることができる。
【０１３２】
なお、本実施の形態において、Ｒ−ＰＤＣＣＨで送信されるＤＣＩを用いて端末に通知可能な割当可能ＲＢ領域の情報は、RRC signalingを用いて端末毎に個別に通知されてもよく、ＢＣＨ（Broadcast Channel）を用いた報知情報として通知されてもよい。ここで、設定方法２の場合には、端末はＲ−ＰＤＣＣＨのサーチスペースを示す情報を用いて通知可能な割当可能ＲＢ領域を知ることができるため、新たな通知情報は不要であり制御情報量の低減が可能である。
【０１３３】
また、前述した設定値（送信パラメータ）として、端末２００に設定される帯域割当を用いてもよい。例えば、端末２００に設定可能な帯域割当として、連続帯域割当及び非連続帯域割当が含まれる。ここで、例えば、基地局１００の設定部１０１は、更に、Ｒ−ＰＤＣＣＨを用いてＤＣＩが送信される端末２００に対して設定可能な帯域割当（送信パラメータ又は設定値）を、連続する番号のＲＢを割り当てる連続帯域割当（連続帯域割当送信を行う送信モードとも言える）に限定してもよい。ここで、連続帯域割当を行う場合には、例えば、割当帯域の最初のＲＢ及び送信帯域幅を示す情報を通知する。これにより、連続帯域割当を行う場合には、非連続帯域割当を行う場合よりも、リソース割当結果を通知するための割当制御情報をより少ないビット数で表現することができる。つまり、連続帯域割当の方が、非連続帯域割当よりも、リソース割当結果を含むＤＣＩサイズをより小さくすることができる。よって、Ｒ−ＰＤＣＣＨで送信されるＤＣＩを用いて端末２００に設定可能な帯域割当を、連続帯域割当に限定することで、リソース割当結果を示すＤＣＩのビット数が削減され、Ｒ−ＰＤＣＣＨ領域として使用されるリソース領域を更に低減できる。すなわち、Ｒ−ＰＤＣＣＨで送信されるＤＣＩのサイズ（ＤＩＣビット数）を削減することにより、下り回線データに使用可能なリソース領域の減少を抑えることができるので、システムスループットの劣化を更に抑えることができる。また、例えば、図９及び図１０に示すように、Ｒ−ＰＤＣＣＨで送信されるＤＣＩを用いて端末２００に通知可能な割当可能ＲＢ領域は限定されることで、周波数スケジューリング効果は小さくなる。よって、Ｒ−ＰＤＣＣＨで送信されるＤＣＩを用いて端末２００に設定可能な帯域割当を連続帯域割当に限定しても、スループットの劣化に与える影響は小さい。
【０１３４】
また、本実施の形態では、Ｒ−ＰＤＣＣＨを用いてＤＣＩが送信される端末２００に対して設定可能な帯域割当を、Distributed割当に限定してもよい。Distributed割当では、連続する番号のVirtual RBが割り当てられ、Virtual RBが分散された物理リソース（ＲＢ）にそれぞれ割り当てられる。つまり、Distributed割当は、連続する番号のVirtual RB割当を行う割当方法といえる。このため、Distributed割当では、前述したように通知情報量は非連続帯域割当よりも少ない。これにより、Ｒ−ＰＤＣＣＨで送信されるＤＣＩのサイズ（ＤＣＩビット数）をより小さくすることができる。この場合も、前述したように、Ｒ−ＰＤＣＣＨで送信されるＤＣＩを用いて端末２００に通知可能な割当可能ＲＢ領域は限定されるので、周波数スケジューリング効果は小さくなる。よって、Ｒ−ＰＤＣＣＨで送信されるＤＣＩを用いて端末２００に設定可能な帯域割当をDistributed割当に限定しても、スループットの劣化に与える影響は小さい。
【０１３５】
なお、Ｒ−ＰＤＣＣＨで送信されるＤＣＩを用いて端末２００に対して設定可能な送信モードとして、連続帯域割当（又は、連続ＲＢ番号割当）のみをサポートする送信モードに限定するようにしても同様の効果が得られる。例えば、下り回線割当向けのＤＣＩ  ｆｏｒｍａｔ  １Ａ，１Ｂ，１Ｄは連続帯域割当（または、連続ＲＢ番号割当）のみをサポートしている。そこで、Ｒ−ＰＤＣＣＨで送信されるＤＣＩを用いて端末２００に対して設定可能な送信モードとして、これらのＤＣＩ  ｆｏｒｍａｔをモニタ対象とする送信モードである、ビームフォーミング送信モード及びマルチユーザＭＩＭＯ送信モードに限定してもよい。
【０１３６】
［実施の形態２］
本実施の形態において、マクロセル及びピコ／フェムトセルから構成されるヘテロジニアスネットワークでは、各セル（基地局）は、他のセルの受信品質を測定（measurement。以下、他セル品質測定と呼ぶ）する。具体的には、基地局は、他セル品質測定のために用いるＲＢ領域を設定し、当該基地局配下の端末は、設定されたＲＢ領域において他セル品質測定を行う。例えば、端末は、設定されたＲＢ領域で受信される、他のセルからのパイロット信号を用いて他セル品質測定を行う。
【０１３７】
本実施の形態に係る基地局の基本構成は、実施の形態１と共通するので、図６を援用して説明する。また、図１１は、本実施の形態に係る端末の構成を示すブロック図である。なお、図１１に示す端末３００において、実施の形態１（図８）と同一構成要素には同一の符号を付しその説明を省略する。
【０１３８】
本実施の形態の基地局１００において、設定部１０１は、実施の形態１の動作に加え、他セル品質測定に用いるＲＢ領域を設定する。ここで、各セルに接続している端末は、ハンドオーバ等のために他セル品質測定を行う際には、他のセルにおいて送信電力を低減していないＲＢ領域、つまり、現在接続しているセルに対する干渉が大きいＲＢ領域で、他セル品質測定を行う。つまり、設定部１０１は、他のセル（他のセル種別）において送信電力を低減していない（mutingしていない）ＲＢ領域を、他セル品質測定に用いるＲＢ領域に設定する。すなわち、設定部１０１は、他のセルが送信電力を低減している（mutingしている）ＲＢ領域を、他セル品質測定の対象外とする。これにより、各セルでは、他のセルからの信号の受信電力を正確に測定することができ、例えば、ハンドオーバ先のセル選択を適切に行うことができる。ここで、他のセル（他のセル種別）において送信電力を低減していない（mutingしていない）ＲＢ領域に関する情報は、X2インターフェース等を介して、他のセル又は図示しない制御局から通知される。そして、設定部１０１は、他セル品質測定対象として設定したＲＢ領域を、他セル品質測定ＲＢ領域情報として、RRC signaling又はＢＣＨを用いて各端末３００に通知する。
【０１３９】
また、設定部１０１は、実施の形態１と同様、各端末３００向けのＤＣＩの送信にＰＤＣＣＨ又はＲ−ＰＤＣＣＨをそれぞれ用いる際の下り回線データに対する割当可能ＲＢ領域を設定する。具体的には、設定部１０１は、システム帯域のうち、他セル品質測定対象（基地局１００以外の他の基地局からの信号に対する受信品質測定対象）として設定したＲＢ領域以外のＲＢ領域を、Ｒ−ＰＤＣＣＨで送信されるＤＣＩを用いて端末３００に通知可能な割当可能ＲＢ領域（ＲＢの設定値候補群）に設定する。つまり、ＰＤＣＣＨにおいて割当可能な複数のＲＢのうち、基地局１００以外の他の基地局からの信号に対する受信品質測定対象であるＲＢ以外の一部のＲＢを、Ｒ−ＰＤＣＣＨにおいて割当可能なＲＢとする。
【０１４０】
一方、本実施の形態の端末３００において、設定情報受信部３０１は、実施の形態１と同様の設定情報とともに、基地局１００から通知される他セル品質測定ＲＢ領域情報を読み取る。そして、設定情報受信部３０１は、他セル品質測定ＲＢ領域情報を、他セル測定部３０２に出力し、他セル品質測定ＲＢ領域情報に示される他セル品質測定ＲＢ領域以外のＲＢ領域を示す情報を、割当可能ＲＢ領域情報としてＰＤＣＣＨ受信部２０７に出力する。
【０１４１】
他セル測定部３０２は、所定のタイミング又は基地局１００からの別途指示されたタイミングにおいて、他セル品質測定（他のセルからの信号の受信品質測定）を行う。具体的には、他セル測定部３０２は、分離部２０５から入力される信号のうち、設定情報受信部３０１から受け取る他セル品質測定ＲＢ領域情報に示されるＲＢ領域内に配置された、他のセルの参照信号（Reference Signal：ＲＳ。又はパイロット信号）を読み取る。そして、他セル測定部３０２は、読み取ったＲＳの受信電力、パスロス又は受信ＳＩＲ（Signal to Interference Ratio）等で表される受信品質を測定する。そして、他セル測定部３０２は、測定結果を基地局１００へフィードバックする。
【０１４２】
ＰＤＣＣＨ受信部２０７は、実施の形態１と同様、ＰＤＣＣＨ領域及びＲ−ＰＤＣＣＨ領域に設定されたサーチスペースをブラインド復号（モニタ）して、ＰＤＣＣＨ又はＲ−ＰＤＣＣＨを用いて送信される自端末宛てのＤＣＩを得る。ここで、ＰＤＣＣＨ受信部２０７においてＲ−ＰＤＣＣＨ領域に設定されたサーチスペースをブラインド復号する際に対象とするＤＣＩフォーマットは、ＰＤＣＣＨ領域と比較して、割当可能ＲＢ領域が他セル品質測定ＲＢ領域以外のＲＢ領域に限定されたＲＢ割当情報を用いたＤＣＩフォーマット、つまり、より少ないビット数のＤＣＩサイズとする。
【０１４３】
以下で基地局１００の設定部１０１における、割当可能ＲＢ領域の設定処理について詳細に説明する。
【０１４４】
前述したように、各セルは、他のセルが送信電力を低減している（mutingしている）ＲＢ領域を、他セル品質測定の対象外とする。つまり、各セルにおいて、他セル品質測定を行うＲＢ領域では、他のセルからの信号の受信電力（つまり、干渉電力）は大きいのに対して、他セル品質測定の対象外のＲＢ領域（つまり、他のセルがmutingしているＲＢ領域）では、他のセルからの干渉電力は小さい。
【０１４５】
そこで、設定部１０１は、ＰＤＣＣＨで送信されるＤＣＩを用いて各端末３００に通知可能な割当可能ＲＢ領域（基準設定値候補群）を構成する複数のＲＢ（システム帯域内の全ＲＢ）のうち、他セル品質測定の対象外のＲＢ領域（基地局１００以外の他の基地局（他のセル種別）からの信号に対する受信品質測定対象であるリソース領域以外のリソース領域）を構成する一部のＲＢを、Ｒ−ＰＤＣＣＨで送信されるＤＣＩを用いて各端末３００に通知可能な割当可能ＲＢ領域（ＲＢの設定値候補群）に設定する。
【０１４６】
例えば、図１２に示すように、設定部１０１は、まず、システム帯域（１４ＲＢ）内の高い周波数側のＲＢ領域（７ＲＢ）を、他セル品質測定の対象ＲＢ領域に設定する。
【０１４７】
これに対して、図１２に示すように、設定部１０１は、システム帯域（１４ＲＢ）内の他セル品質測定の対象ＲＢ領域以外のＲＢ領域（低い周波数側のＲＢ領域（７ＲＢ））を、Ｒ−ＰＤＣＣＨで送信されるＤＣＩを用いて端末３００に通知可能な割当可能ＲＢ領域に設定する。
【０１４８】
一方、設定部１０１は、ＰＤＣＣＨで送信されるＤＣＩを用いて端末３００に通知可能な割当可能ＲＢ領域として、システム帯域内の１４ＲＢすべてを設定する。
【０１４９】
すなわち、設定部１０１は、実施の形態１と同様、ＰＤＣＣＨで送信されるＤＣＩを用いて端末３００に通知可能なＲＢ候補数（１４ＲＢ）よりも、Ｒ−ＰＤＣＣＨで送信されるＤＣＩを用いて端末３００に通知可能なＲＢ候補数（７ＲＢ）を少なく設定する。
【０１５０】
つまり、基地局１００は、端末３００に対してＲ−ＰＤＣＣＨを用いてＤＣＩを送信する際には、下り回線データのＲＢ割当対象を、システム帯域内のＲＢ領域の中の一部のＲＢ領域、つまり、他セル品質測定対象のＲＢ領域以外のＲＢ領域のみに限定する。
【０１５１】
よって、実施の形態１と同様、Ｒ−ＰＤＣＣＨで送信されるＤＣＩに含まれる、端末３００向けの下り回線データのリソース割当結果を示すビット数を削減することにより、ＰＤＳＣＨ領域のうち、Ｒ−ＰＤＣＣＨ領域として使用されるリソース領域（総ＲＢ数）を低減できる。このように、ＤＣＩビット数を削減することにより、下り回線データに使用可能なリソース領域（ＰＤＳＣＨ領域）の減少を抑えることができるので、システムスループットの劣化を抑えることができる。
【０１５２】
また、前述したように、Ｒ−ＰＤＣＣＨで送信されるＤＣＩを用いて端末３００に通知可能な割当可能ＲＢ領域は、他のセルにおいて送信電力をmutingしているＲＢ領域であり、他のセルからの干渉がより小さいＲＢ領域である。よって、図１２に示すように、Ｒ−ＰＤＣＣＨで送信されるＤＣＩを用いて端末３００に通知可能な割当可能ＲＢ領域を、他セル品質測定対象のＲＢ領域以外のＲＢ領域のみに限定しても、実施の形態１と同様、Ｒ−ＰＤＣＣＨを用いてＤＣＩが送信される端末において、ＲＢ割当の柔軟性の低下がスループットに与える影響は小さい。
【０１５３】
よって、本実施の形態によれば、実施の形態１と同様、基地局に接続された端末向けのＤＣＩを、Ｒ−ＰＤＣＣＨ領域で送信する場合でも、Ｒ−ＰＤＣＣＨを用いてＤＣＩが送信される端末でのスループットを低下させることなく、システムスループットの劣化を抑えることができる。また、他セル品質測定ＲＢ領域情報から割当可能ＲＢ領域が設定されるため、割当可能ＲＢ領域を通知する新たな制御情報が不要であり、制御情報量を削減可能である。
【０１５４】
なお、マクロセルとピコ／フェムトセルとで構成されるヘテロジニアスネットワークでは、マクロセルが使用可能なＲＢ領域の一部のＲＢでの送信電力を低減すること（又は一部のＲＢで送信しないこと）により、ピコ／フェムトセルの干渉電力を低減可能である。これにより、ピコ／フェムトセルのスループット向上及びピコ／フェムトセルのカバーエリアの拡大が可能である。例えば、マクロセルは、図１３に示すように、システム帯域（又は、通信帯域の基本単位として定義される「Component Carrier」）の中心部分のＲＢ領域（図１３では中心部分の６ＲＢ）では通常の送信電力で送信処理を行い、上記中心部分のＲＢ領域以外の両端のＲＢ領域（図１３では両端の合計８ＲＢ（各端４ＲＢずつ））では低い送信電力で送信処理（muting）を行う。このとき、ピコ／フェムトセルは、他セル品質測定対象のＲＢ領域として、図１３に示すシステム帯域（又は、「Component Carrier」）の中心部分のＲＢ領域（６ＲＢ）を設定する。また、ピコ／フェムトセルは、Ｒ−ＰＤＣＣＨを用いてＤＣＩが送信される端末向けの下り回線データに対する割当可能ＲＢ領域として、上記中心部分のＲＢ領域以外の両端のＲＢ領域（合計８ＲＢ）を設定する。
【０１５５】
ここで、マクロセルでは、セル検出（マクロセルとの同期確保）に用いられるＳＣＨ／ＰＢＣＨは、図１３に示すシステム帯域（又は、「Component Carrier」）の中心部分のＲＢ領域（６ＲＢ）で送信される。このため、ピコ／フェムトセルでは、上記中心部分のＲＢ領域（６ＲＢ）を他セル品質測定対象のＲＢ領域とすることで、ピコ／フェムトセルに接続されている端末は、マクロセルのＳＣＨ（Synchronization Channel）／ＰＢＣＨ（Physical Broadcast Channel）を検出した後、中心周波数をそのままにして（中心周波数を切り替えずに）、指示された帯域幅のみの受信品質測定を行えばよい。つまり、ピコ／フェムトセルに接続されている端末では、周波数切替処理が不要となる。
【０１５６】
また、本実施の形態において、マクロセルでは、送信電力を低減するＲＢ領域又は送信を行わないＲＢ領域（非送信とするＲＢ領域）を設定しないサブフレームを設けてもよい。この場合、当該サブフレームではマクロセルから他のセルへの干渉が大きくなる可能性が高いので、他のセル（ピコ／フェムトセル）は、当該サブフレームではＲ−ＰＤＣＣＨでＤＣＩを送信しない。よって、他のセル（ピコ／フェムトセル）に接続している端末は、当該サブフレームではＲ−ＰＤＣＣＨに対するブラインド復号を行わない。また、他のセル（ピコ／フェムトセル）に接続している端末は、当該サブフレームでは、他セル品質測定対象のＲＢ領域を全てのＲＢとし、全てのＲＢで受信される参照信号（ＲＳ）を用いて他セル品質測定を行う。これにより、他のセル（ピコ／フェムトセル）では、マクロセル（つまり、ピコ／フェムトセルにとっての他セル）に対する他セル品質測定の精度を向上させることができる。また、当該サブフレームではＲ−ＰＤＣＣＨに対するブラインド復号回数を低減できるので、端末の消費電力を低減でき、かつ、ＤＣＩの誤検出率を低減できる。
【０１５７】
また、本実施の形態において、他セル品質測定対象のＲＢ領域を、時間と伴に変化させてもよい。これにより、各端末では、システム帯域内の全周波数帯域に渡って、他セルの受信品質を測定することが可能となり、測定精度を向上することができる。また、この場合、他セル品質測定対象のＲＢ領域の変化に伴い、Ｒ−ＰＤＣＣＨで送信されるＤＣＩを用いて端末に通知可能な割当可能ＲＢ領域も変化する。これにより、各セルでは、Ｒ−ＰＤＣＣＨを用いてＤＣＩが送信される端末に対して、システム帯域内の全周波数帯域に渡ってＲＢを割り当てることが可能となり、リソース割当の柔軟性を向上させることができる。
【０１５８】
［実施の形態３］
実施の形態１及び２では、ＤＣＩを用いて端末に通知可能な送信パラメータ（設定値）として、各端末に割り当てられたＲＢを用いる場合について説明した。これに対して、本実施の形態では、ＤＣＩを用いて端末に通知可能な送信パラメータ（設定値）として、各端末に設定されるＭＣＳを用いる場合について説明する。
【０１５９】
本実施の形態に係る基地局及び端末の基本構成は、実施の形態１と共通するので、図６、８を援用して説明する。
【０１６０】
本実施の形態の基地局１００において、設定部１０１は、各端末２００向けのＤＣＩの送信にＰＤＣＣＨ又はＲ−ＰＤＣＣＨをそれぞれ用いる際、各端末２００に対して設定可能なＭＣＳ（以下、単に「設定可能ＭＣＳ」と呼ぶ）を設定する。このとき、設定部１０１は、Ｒ−ＰＤＣＣＨを用いて端末２００に通知可能な設定可能ＭＣＳ（ＭＣＳの設定値候補群）として、基準設定値候補群の一部を設定する。例えば、基準設定値候補群として、ＰＤＣＣＨで送信されるＤＣＩを用いて通知可能な設定値候補群（ＭＣＳの設定値候補群）を用いる。
【０１６１】
すなわち、設定部１０１は、ＰＤＣＣＨで送信されるＤＣＩで通知可能なＭＣＳ候補数よりも、Ｒ−ＰＤＣＣＨで送信されるＤＣＩで通知可能なＭＣＳ候補数を少なく設定する。つまり、Ｒ−ＰＤＣＣＨにおいて設定可能なＭＣＳの範囲が、ＰＤＣＣＨにおいて設定可能なＭＣＳの範囲よりも狭くなる。
【０１６２】
例えば、設定部１０１は、ＰＤＣＣＨで送信されるＤＣＩを用いて端末２００に通知可能な設定可能ＭＣＳ（基準設定値候補群）を構成する複数のＭＣＳのうち、ＭＣＳレベルがより低い一部のＭＣＳ（例えば、ＱＰＳＫ以下のＭＣＳレベルを有するＭＣＳ）を、Ｒ−ＰＤＣＣＨで送信されるＤＣＩを用いて端末２００に通知可能なＭＣＳ候補群に設定する。つまり、ＰＤＣＣＨにおいて設定可能な複数のＭＣＳのうち、ＭＣＳレベルがより低い一部のＭＣＳを、Ｒ−ＰＤＣＣＨにおいて設定可能なＭＣＳとする。ここで、Ｒ−ＰＤＣＣＨで送信されるＤＣＩを用いて端末２００に通知可能な設定可能ＭＣＳの閾値（例えば、ＱＰＳＫ以下のＭＣＳレベル）は予め決定してもよい。そして、設定部１０１は、設定可能ＭＣＳに関する情報を、RRC signaling等の上位レイヤ信号として各端末２００に通知する。
【０１６３】
制御部１０２は、設定部１０１で設定された設定可能ＭＣＳ（ＭＣＳの設定値候補群）の中から、各端末２００に対するＭＣＳを選択する。そして、制御部１０２は、選択したＭＣＳレベルを示すＭＣＳ情報を含む割当制御情報を生成し、ＰＤＣＣＨ生成部１０４は、当該割当制御情報を含むＤＣＩを生成する。
【０１６４】
本実施の形態の端末２００において、設定情報受信部２０６は、実施の形態１と同様の設定情報とともに、基地局１００から通知される設定可能ＭＣＳに関する情報を読み取る。そして、設定情報受信部２０６は、設定可能ＭＣＳに関する情報を、設定可能ＭＣＳ情報としてＰＤＣＣＨ受信部２０７に出力する。
【０１６５】
ＰＤＣＣＨ受信部２０７は、Ｒ−ＰＤＣＣＨ領域に設定されたサーチスペースをブラインド復号して得られたＤＣＩについて、設定情報受信部２０６から受け取る設定可能ＭＣＳ情報に示されるＭＣＳのＭＣＳレベルを参照して、当該ＤＣＩによって通知されているＭＣＳレベル（つまり、自機に対して設定されたＭＣＳレベル）を判定する。そして、ＰＤＣＣＨ受信部２０７は、判定したＭＣＳレベルをＰＤＳＣＨ受信部２０８に出力する。
【０１６６】
以下で基地局１００の設定部１０１における、割当可能ＲＢ領域の設定処理について詳細に説明する。
【０１６７】
以下の説明では、設定部１０１は、例えば、図１４に示すＭＣＳテーブルを用いる。図１４に示すＭＣＳテーブルは、ＭＣＳレベル０〜７の８種類のＭＣＳを有する。また、各ＭＣＳレベルには、それぞれ、変調方式（ＱＰＳＫ，１６ＱＡＭ，６４ＱＡＭ）、符号化率（０．２，０．３，０．５，０．６）、及び、TBS index（Transport Block Size）（０〜７）が対応付けられている。ここで、TBS indexはデータサイズを示す値であり、TBS indexと実際のデータサイズとの対応関係は、ＲＢ割当数に依存したテーブルとして別途定義される。なお、符号化率は、ＲＢ割当数とデータサイズとに依存して決定されるので、図１４に示すＭＣＳテーブルの代わりに、符号化率及びTBS indexのうち、割当ＲＢ数に依存するTBS indexのみを含むＭＣＳテーブルを用いてもよい。
【０１６８】
例えば、設定部１０１は、ＰＤＣＣＨで送信されるＤＣＩを用いて端末２００に通知可能な設定可能ＭＣＳ（ＭＣＳの設定値候補群）として、図１４に示すＭＣＳレベル０〜７の８レベルのＭＣＳを設定する。これに対して、設定部１０１は、Ｒ−ＰＤＣＣＨで送信されるＤＣＩを用いて端末２００に通知可能な設定可能ＭＣＳ（ＭＣＳの設定値候補群）として、図１４に示すＭＣＳレベル０〜７の８レベルのうち、ＭＣＳレベル０〜３の４レベルのＭＣＳを設定する。すなわち、設定部１０１は、ＰＤＣＣＨで送信されるＤＣＩを用いて端末２００に通知可能なＭＣＳの候補数（８レベル）よりも、Ｒ−ＰＤＣＣＨで送信されるＤＣＩを用いて端末２００に通知可能なＭＣＳの候補数（４レベル）を少なく設定する。
【０１６９】
そして、制御部１０２は、ＰＤＣＣＨを用いてＤＣＩが送信される或る端末２００に対して、ＭＣＳレベル０〜７のＭＣＳのうちいずれかを設定する。そして、基地局１００は、設定したＭＣＳのＭＣＳレベルを３ビット（８通りの情報を表すことができるビット数）のＭＣＳ情報としてＤＣＩに含めて、当該端末２００に送信する。
【０１７０】
一方、制御部１０２は、Ｒ−ＰＤＣＣＨを用いてＤＣＩが送信される或る端末２００に対して、ＭＣＳレベル０〜３のＭＣＳのうちいずれかを設定する。そして、基地局１００は、設定したＭＣＳのＭＣＳレベルを２ビット（４通りの情報を表すことができるビット数）のＭＣＳ情報としてＤＣＩに含めて、当該端末２００に送信する。
【０１７１】
つまり、基地局１００では、Ｒ−ＰＤＣＣＨを用いてＤＣＩを送信する場合には、ＰＤＣＣＨを用いてＤＣＩを送信する場合と比較して、ＭＣＳ情報のビット数（すなわち、ＭＣＳ情報を含むＤＣＩのビット数）が１ビット削減される。すなわち、基地局１００では、ＰＤＣＣＨを用いて送信されるＤＣＩのＤＣＩサイズよりも、Ｒ−ＰＤＣＣＨを用いて送信されるＤＣＩのＤＣＩサイズが小さくなる。
【０１７２】
よって、実施の形態１と同様、Ｒ−ＰＤＣＣＨで送信されるＤＣＩに含まれるＭＣＳ情報を示すビット数を削減することにより、ＰＤＳＣＨ領域のうち、Ｒ−ＰＤＣＣＨ領域として使用されるリソース領域（総ＲＢ数）を低減できる。すなわち、ＤＣＩビット数を削減することにより、下り回線データに使用可能なリソース領域（ＰＤＳＣＨ領域）の減少を抑えることができるので、システムスループットの劣化を抑えることができる。
【０１７３】
また、図１４に示すように、基地局１００は、ＰＤＣＣＨで送信されるＤＣＩを用いて端末２００に通知可能な設定可能ＭＣＳ（ＭＣＳレベル０〜７）のうち、ＭＣＳレベルがより低い一部のＭＣＳ（ＭＣＳレベル０〜４）を、Ｒ−ＰＤＣＣＨで送信されるＤＣＩを用いて端末２００に通知可能な設定可能ＭＣＳ（ＭＣＳの設定値候補群）に設定する。
【０１７４】
ここで、前述したように、Ｒ−ＰＤＣＣＨを用いてＤＣＩを送信する必要のある端末、つまり、干渉制御によりセル間干渉を低減する必要のある端末は、セル境界付近に位置する可能性が高い。また、Ｒ−ＰＤＣＣＨを用いてＤＣＩを送信する必要のある端末では、データ信号に対してもＲ−ＰＤＣＣＨと同様の干渉制御が行われ、受信品質が改善される。しかし、当該端末では、セル中心付近に位置する端末のように１６ＱＡＭ又は６４ＱＡＭ等の高いＭＣＳレベルが用いられることは稀である（使用頻度が少ない）。
【０１７５】
このため、図１４に示すように、Ｒ−ＰＤＣＣＨで送信されるＤＣＩを用いて端末２００に通知可能な設定可能ＭＣＳを、ＭＣＳレベルがより低いＭＣＳ（ＭＣＳレベル０〜２（ＱＰＳＫ）及びＭＣＳレベル３（１６ＱＡＭ））のみに限定しても、使用頻度の少ないＭＣＳレベルが使用できなくなるだけで済む。すなわち、Ｒ−ＰＤＣＣＨを用いてＤＣＩが送信される端末において、設定可能ＭＣＳをＭＣＳレベルがより低い一部のＭＣＳに限定することによるＭＣＳレベル設定の柔軟性の低下が、スループットに与える影響は小さい。
【０１７６】
これにより、本実施の形態では、実施の形態１と同様、基地局に接続された端末向けのＤＣＩを、Ｒ−ＰＤＣＣＨ領域で送信する場合でも、Ｒ−ＰＤＣＣＨを用いてＤＣＩが送信される端末でのスループットを低下させることなく、システムスループットの劣化を抑えることができる。
【０１７７】
なお、本実施の形態では、図１４に示すように、Ｒ−ＰＤＣＣＨで送信されるＤＣＩを用いて端末２００に通知可能なＭＣＳとして、ＭＣＳレベルが連続する複数のＭＣＳを設定する場合について説明した。しかし、基地局は、Ｒ−ＰＤＣＣＨで送信されるＤＣＩを用いて端末２００に通知可能なＭＣＳとして、ＭＣＳレベルが連続するＭＣＳに限らず、ＭＣＳレベルが非連続のＭＣＳ（例えば、図１４に示すＭＣＳレベル０，２，４，６のＭＣＳ）を設定してもよい。換言すると、基地局は、ＰＤＣＣＨで送信されるＤＣＩを用いて端末２００に通知可能なＭＣＳを、割当粒度を粗くして設定（例えば、２つおきのＭＣＳレベル０，２，４，６のＭＣＳを使用）してもよい。
【０１７８】
以上、本発明の各実施の形態について説明した。
【０１７９】
［他の実施の形態］
（１）上記各実施の形態における端末ＩＤには、C-RNTI（Cell-Radio Network Temporary Identifier）が用いられても良い。
【０１８０】
（２）上記各実施の形態における「全端末共通のＤＣＩフォーマット」という表現は、「送信モードに依存しないＤＣＩフォーマット」と読み替えることもできる。
【０１８１】
（３）上記各実施の形態では、端末送信モードに依存しないフォーマットをＤＣＩ  ０／１Ａとして説明したが、これに限定されるものではなく、端末送信モードに依存せず用いられるフォーマットなら何でもよい。
【０１８２】
また、送信モード依存のＤＣＩとして、ＤＣＩ  １，２，２Ａ，０Ａ，０Ｂ以外のフォーマットが用いられてもよい。
【０１８３】
上記実施の形態においてＲ−ＰＤＣＣＨでは、ＰＤＣＣＨで送信されるＤＣＩよりも少ない情報量のＤＣＩが送信される場合について説明した。しかし、情報量の少ないＤＣＩフォーマットをＲ−ＰＤＣＣＨのみで送信するようにしても本発明の効果が得られる。例えば、Ｍ２Ｍデバイス向けに新たに定義される情報量の少ないＤＣＩフォーマットはＲ−ＰＤＣＣＨのみで送信されるようにしてもよい。Ｍ２Ｍデバイスでは少ないビット数のデータの低送信電力での伝送が重要であるため、例えば、上記の情報量の少ないＤＣＩフォーマットはリソース割当を制約したものとしてもよい。
【０１８４】
また、上り回線または下り回線の送信モードとして、連続帯域割当送信を含めてもよい。この送信モードが設定された端末では、送信モード依存のＤＣＩは、それぞれＤＣＩ  ０(上り回線)とＤＣＩ  １Ａ（下り回線）となる。この場合、全端末共通のＤＣＩフォーマットと送信モード依存のフォーマットとが同一となるので、ＵＥ−ＳＳでは、上り回線及び下り回線でそれぞれ１種類のフォーマットを対象としてブラインド復号すればよい。なお、上り下りともに連続帯域割当の場合は、あわせて１種類となる。
【０１８５】
ＤＣＩ  ０／１Ａをよりサーチスペースが広い送信モード依存のＤＣＩに設定することにより、もともと伝搬路状況が劣悪なためＤＣＩ  ０／１ＡでしかＰＤＣＣＨが割り当てられない端末に対するブロック率の増加を防ぐことができる。
【０１８６】
（４）上記実施の形態に限定されず、種々変更して実施することが可能である。例えば、端末の状況に応じて、各実施の形態を、適宜組み合わせて実施することが可能である。
【０１８７】
（５）上記実施の形態で説明したＣＣＥ及びＲ−ＣＣＥは論理的なリソースであり、ＣＣＥ及びＲ−ＣＣＥを実際の物理的な時間・周波数リソースへ配置する際には、ＣＣＥは全帯域に渡って分散して配置され、Ｒ−ＣＣＥは特定のＲＢ内に渡って分散して配置される。また、それ以外の配置方法であっても、同様に本発明の効果を得ることができる。
【０１８８】
（６）データが送信される可能性のある周波数リソースを用いて送信される制御チャネルであれば、Ｒ−ＰＤＣＣＨでなくても本発明を適用し同様の効果を得ることができる。
【０１８９】
上記実施の形態において、Ｒ−ＰＤＣＣＨで送信するＤＣＩに対して割当可能ＲＢ領域又は割当可能ＭＣＳレベルを限定することによりＤＣＩビットを削減するようにした。しかし、ＤＣＩのビットを削減する代わりにＤＣＩの一部をVirtual CRCとして用いるようにしてもよい。この場合、端末は割当可能ＲＢ領域又は割当可能ＭＣＳレベル以外のＲＢ割当及びＭＣＳ割当が通知された場合には検出したＤＣＩを無視する。これにより、Ｒ−ＰＤＣＣＨで送信するＤＣＩの誤検出率を低減することができる。
【０１９０】
上記実施の形態において、ＰＤＣＣＨ（第２の制御チャネル）がマッピングされるリソース領域では、ＰＤＣＣＨ以外にもＰＨＩＣＨ又はＰＣＦＩＣＨ等の別の制御チャネル及び参照信号が送信されてもよい。
【０１９１】
（７）上記各実施の形態ではアンテナとして説明したが、本発明はアンテナポート（antenna port）でも同様に適用できる。
【０１９２】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１９３】
例えば3GPP LTEにおいては、アンテナポートが何本の物理アンテナから構成されるかは規定されず、基地局が異なる参照信号（Reference signal）を送信できる最小単位として規定されている。
【０１９４】
また、アンテナポートはプリコーディングベクトル（Precoding vector）の重み付けを乗算する最小単位として規定されることもある。
【０１９５】
（８）上記各実施の形態では、本発明をハードウェアで構成する場合を例にとって説明したが、本発明はハードウェアとの連係においてソフトウェアでも実現することも可能である。
【０１９６】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１９７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１９８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１９９】
２０１０年９月３日出願の特願２０１０−１９７７７２の日本出願に含まれる明細書、図面および要約書の開示内容は、すべて本願に援用される。
【産業上の利用可能性】
【０２００】
本発明は、移動体通信システム等に有用である。
【符号の説明】
【０２０１】
１００  基地局
１０１  設定部
１０２  制御部
１０３  サーチスペース設定部
１０４  ＰＤＣＣＨ生成部
１０５，１０７，１０８  符号化・変調部
１０６  割当部
１０９  多重部
１１０，２１３  ＩＦＦＴ部
１１１，２１４  ＣＰ付加部
１１２，２１５  送信ＲＦ部
１１３，２０１  アンテナ
１１４，２０２  受信ＲＦ部
１１５，２０３  ＣＰ除去部
１１６，２０４  ＦＦＴ部
１１７  抽出部
１１８  ＩＤＦＴ部
１１９  データ受信部
１２０  ＡＣＫ／ＮＡＣＫ受信部
１３１  送信領域設定部
１３２  送信モード設定部
２００，３００  端末
２０５  分離部
２０６，３０１  設定情報受信部
２０７  ＰＤＣＣＨ受信部
２０８  ＰＤＳＣＨ受信部
２０９，２１０  変調部
２１１  ＤＦＴ部
２１２  マッピング部
３０２  他セル測定部
【図１】
2012029245.tif 000003
【図２】
2012029245.tif 000004
【図３】
2012029245.tif 000005
【図４】
2012029245.tif 000006
【図５】
2012029245.tif 000007
【図６】
2012029245.tif 000008
【図７】
2012029245.tif 000009
【図８】
2012029245.tif 000010
【図９】
2012029245.tif 000011
【図１０】
2012029245.tif 000012
【図１１】
2012029245.tif 000013
【図１２】
2012029245.tif 000014
【図１３】
2012029245.tif 000015
【図１４】
2012029245.tif 000016
【国際調査報告】
2012029245.tif 000017
2012029245.tif 000018